(57)【要約】  本開示は、高圧洗浄機及び高圧洗浄機ユニットに関し、当該高圧洗浄機（１）は、突き合わせ面（１９１１）が設けられた基台（１９１）を有するハウジング（１０）と、前記基台（１９１）に接続されるハウジング端子（１９２）と、前記ハウジング（１０）内に設けられるモータ（２）と水流を外部に搬送するポンプ（４）とを有する機能部材とを備え、前記高圧洗浄機（１）は、電池パック（９）に電気的に接続可能であり、前記電池パック（９）は、前記突き合わせ面（１９１１）と嵌合可能な嵌合面（９２１）と、前記ハウジング端子（１９２）に電気的に接続される複数の電池パック端子とを有し、前記高圧洗浄機（１）と前記電池パック（９）とが嵌合して前記ハウジング端子（１９２）と前記電池パック端子とを電気的に接続するための突き合わせ室を形成し、前記突き合わせ室は、前記高圧洗浄機（１）又は前記電池パック（９）に選択的に配置され、前記高圧洗浄機（１）には、シーリング構造が設けられており、前記電池パック（９）が前記高圧洗浄機（１）と嵌合したとき、前記シーリング構造は、前記突き合わせ室をシーリング可能である。【選択図】図１
2020513307.tif 000002
【特許請求の範囲】
【請求項１】
突き合わせ面が設けられた基台を有するハウジングと、
前記基台に接続されるハウジング端子と、
前記ハウジング内に設けられるモータと、水流を外部に搬送するポンプとを有する機能部材とを備える高圧洗浄機において、
前記高圧洗浄機は、電池パックに電気的に接続可能であり、前記電池パックは、前記突き合わせ面と嵌合可能な嵌合面と、前記ハウジング端子に電気的に接続される複数の電池パック端子とを有し、前記高圧洗浄機と前記電池パックとが嵌合して前記ハウジング端子と前記電池パック端子とを電気的に接続するための突き合わせ室を形成し、前記突き合わせ室は、前記高圧洗浄機又は前記電池パックに選択的に配置され、前記高圧洗浄機には、シーリング構造が設けられており、前記電池パックが前記高圧洗浄機と嵌合したとき、前記シーリング構造は、前記突き合わせ室をシーリング可能であることを特徴とする高圧洗浄機。
【請求項２】
前記ハウジング端子は、少なくとも一部が前記突き合わせ面から外側に突出しており、前記電池パックは、前記電池パック端子を収容するととも、前記ハウジング端子が挿入され前記電池パック端子に電気的に接続されるための挿入空間を有し、前記挿入空間は、前記ハウジング端子と前記電池パック端子とを電気的に接続するための前記突き合わせ室を形成することを特徴とする請求項１に記載の高圧洗浄機。
【請求項３】
前記電池パック端子は、少なくとも一部が前記嵌合面から外側に突出しており、前記ハウジングは、前記ハウジング端子を収容するとともに、前記電池パック端子を挿入して前記ハウジング端子に電気的に接続するための突き合わせ空間を有し、前記突き合わせ空間は、前記ハウジング端子と前記電池パック端子とを電気的に接続するための前記突き合わせ室を形成することを特徴とする請求項１に記載の高圧洗浄機。
【請求項４】
前記シーリング構造は、前記突き合わせ面に接続され、前記シーリング構造は、前記突き合わせ面の少なくとも一部に密着し、前記電池パックが前記高圧洗浄機と嵌合したとき、前記シーリング構造は、前記突き合わせ室をシーリング可能であることを特徴とする請求項１に記載の高圧洗浄機。
【請求項５】
前記シーリング構造は、軟質ガスケットであり、前記ハウジング端子又は前記電池パック端子が対応的に挿入されるための貫通した複数の開口を有することを特徴とする請求項１に記載の高圧洗浄機。
【請求項６】
前記ハウジングは、対向する一対の側部を有する電池取付台を備え、前記側部と前記基台によって電池パック収容室を区画し、前記電池パック収容室は少なくとも、基壁と基壁に垂直な方向に延びる２つの側壁とを含む３つの壁部を有し、前記基台は、前記突き合わせ面に垂直な方向に延びる頂壁を有し、前記シーリング構造は、前記基壁、前記頂壁及び前記側壁に接続され、前記高圧洗浄機が前記電池パックと嵌合したとき、前記突き合わせ室は、前記シーリング構造によって囲まれた領域内に位置することを特徴とする請求項１に記載の高圧洗浄機。
【請求項７】
前記ハウジングは、対向する一対の側部を有する電池取付台を備え、前記側部と前記基台によって電池パック収容室を区画し、前記電池パック収容室は少なくとも、基壁と基壁に垂直な方向に延びる一対の側壁とを含む３つの壁部を有し、前記側部には、前記側壁に垂直な底壁が設けられ、前記シーリング構造は、前記底壁、前記側壁及び前記基壁に接続され、前記高圧洗浄機が前記電池パックと嵌合したとき、前記突き合わせ室は、前記シーリング構造によって囲まれた領域内に位置することを特徴とする請求項１に記載の高圧洗浄機。
【請求項８】
前記電池パックは、底部と、前記底部に接続されるカバーとを有し、前記カバーには、放熱口が設けられていることを特徴とする請求項１に記載の高圧洗浄機。
【請求項９】
前記高圧洗浄機は、前記ハウジングに設けられて前記放熱口をシーリングするための放熱口ガスケットをさらに備え、前記放熱口ガスケットは、前記放熱口の上方に位置することを特徴とする請求項８に記載の高圧洗浄機。
【請求項１０】
前記ハウジングは、前記放熱口ガスケットを収容する収容溝を有し、前記放熱口ガスケットは、前記放熱口に向かう外面を有し、前記放熱口ガスケットが前記収容溝に接続されたとき、前記外面は、少なくとも一部がハウジングの基壁を超えていることを特徴とする請求項９に記載の高圧洗浄機。
【請求項１１】
前記電池パックは、カバーに設けられて前記放熱口をシーリングするための放熱口ガスケットをさらに備え、前記放熱口ガスケットは、前記放熱口の上方に位置することを特徴とする請求項８に記載の高圧洗浄機。
【請求項１２】
前記高圧洗浄機は、手持ち式高圧洗浄機であり、前記ハウジングは、把持用のハンドルと、前記ハンドルと角度をなすように設けられる本体部とを有することを特徴とする請求項１に記載の高圧洗浄機。
【請求項１３】
前記電池パックに電気的に接続可能な高圧洗浄機であって、
突き合わせ面が設けられた基台を有するハウジングと、
前記基台に接続されるハウジング端子と、
前記ハウジング内に設けられるモータと、水流を外部に搬送するポンプとを有する機能部材とを備え、
前記電池パックは、前記突き合わせ面と嵌合可能な嵌合面と、前記ハウジング端子に電気的に接続される複数の電池パック端子とを有し、前記高圧洗浄機と前記電池パックとが嵌合して前記ハウジング端子と前記電池パック端子とを電気的に接続するための突き合わせ室を形成し、前記突き合わせ室は、前記高圧洗浄機又は前記電池パックに選択的に配置される高圧洗浄機において、
前記高圧洗浄機及び前記電池パックの少なくとも一方には、シーリング構造が設けられており、前記電池パックが前記高圧洗浄機と嵌合したとき、前記シーリング構造は、前記突き合わせ室をシーリング可能であることを特徴とする高圧洗浄機。
【請求項１４】
前記ハウジング端子は、少なくとも一部が前記突き合わせ面から外側に突出しており、前記電池パックは、前記電池パック端子を収容するとともに、前記ハウジング端子を挿入して前記電池パック端子に電気的に接続するための挿入空間を有し、前記挿入空間は、前記ハウジング端子と前記電池パック端子とを電気的に接続するための前記突き合わせ室を形成することを特徴とする請求項１３に記載の高圧洗浄機ユニット。
【請求項１５】
前記電池パックは、底部と、前記底部に接続されるカバーとを有し、前記カバーは、頂面を有し、頂面からボスが突設されており、前記ボスは、前記嵌合面に垂直な上面と、前記上面と前記頂面とを接続する一対の側面とを有し、前記挿入空間は、前記上面、前記嵌合面、前記側面のうちの１つの面又は複数の面が電池パックの内部キャビティへ凹んで形成されることを特徴とする請求項１４に記載の高圧洗浄機。
【請求項１６】
前記シーリング構造は、前記挿入空間が形成された１つの面又は複数の面に密着し、前記電池パックが前記高圧洗浄機と嵌合したとき、前記挿入空間は、前記シーリング構造によって囲まれた領域内に位置し、前記シーリング構造は、前記挿入空間を外部からシーリングして隔離可能であることを特徴とする請求項１５に記載の高圧洗浄機。
【請求項１７】
前記シーリング構造は、前記基台の１つの面又は複数の面に密着し、前記電池パックが前記高圧洗浄機と嵌合したとき、前記挿入空間は、前記シーリング構造によって囲まれた領域内に位置し、前記シーリング構造は、前記挿入空間を外部からシーリングして隔離可能であることを特徴とする請求項１４に記載の高圧洗浄機。
【請求項１８】
前記電池パック端子は、少なくとも一部が前記嵌合面から外側に突出しており、前記ハウジングは、前記ハウジング端子を収容するとともに、前記電池パック端子を挿入して前記ハウジング端子に電気的に接続するための突き合わせ空間を有し、前記突き合わせ空間は、前記ハウジング端子と前記電池パック端子とを電気的に接続するための前記突き合わせ室を形成することを特徴とする請求項１３に記載の高圧洗浄機。
【請求項１９】
前記突き合わせ空間は、前記基台を囲む１つの面又は複数の面が内方へ凹んで形成されることを特徴とする請求項１８に記載の高圧洗浄機。
【請求項２０】
前記シーリング構造は、前記突き合わせ空間が形成された１つの面又は複数の面に密着し、前記電池パックが前記高圧洗浄機と嵌合したとき、前記突き合わせ空間は、前記シーリング構造によって囲まれた領域内に位置し、前記シーリング構造は、前記突き合わせ空間を外部からシーリングして隔離可能であることを特徴とする請求項１９に記載の高圧洗浄機。
【請求項２１】
前記ハウジングは、対向する一対の側部を有する電池取付台を備え、前記側部と前記基台によって電池パック収容室を区画し、前記電池パック収容室は少なくとも、基壁と基壁に垂直な方向に延びる２つの側壁とを含む３つの壁部を有し、前記基台は、突き合わせ面に垂直な方向に延びる頂壁を有し、前記シーリング構造は、前記基壁、前記頂壁及び前記側壁に接続され、前記高圧洗浄機が前記電池パックと嵌合したとき、前記突き合わせ室は、前記シーリング構造によって囲まれた領域内に位置することを特徴とする請求項１３に記載の高圧洗浄機。
【請求項２２】
前記ハウジングは、対向する一対の側部を有する電池取付台を備え、前記側部と前記基台によって電池パック収容室を区画し、前記電池パック収容室は少なくとも、基壁と基壁に垂直な方向に延びる一対の側壁とを含む３つの壁部を有し、前記側部には、前記側壁に垂直な底壁が設けられ、前記シーリング構造は、前記底壁、前記側壁及び前記基壁に接続され、前記高圧洗浄機が前記電池パックと嵌合したとき、前記突き合わせ室は、前記シーリング構造によって囲まれた領域内に位置することを特徴とする請求項１３に記載の高圧洗浄機。
【請求項２３】
前記シーリング構造は、前記電池パックの１つの面又は複数の面に密着し、前記電池パックが前記高圧洗浄機と嵌合したとき、前記突き合わせ空間は、前記シーリング構造によって囲まれた領域内に位置し、前記シーリング構造は、前記突き合わせ空間を外部からシーリングして隔離可能であることを特徴とする請求項１８に記載の高圧洗浄機。
【請求項２４】
前記シーリング構造は、前記電池パックの嵌合面に接続され、前記シーリング構造は、前記嵌合面の少なくとも一部に密着し、前記電池パックが前記高圧洗浄機と嵌合したとき、前記シーリング構造は、前記突き合わせ室をシーリング可能であることを特徴とする請求項１３に記載の高圧洗浄機。
【請求項２５】
前記電池パックは、底部と、前記底部に接続されるカバーとを有し、前記カバーは、頂面を有し、頂面からボスが突設されており、前記ボスは、前記嵌合面に垂直な上面と、前記上面と前記頂面とを接続する側面とを有し、前記シーリング構造は、前記上面、前記側面及び前記頂面に接続され、前記高圧洗浄機が前記電池パックと嵌合したとき、前記突き合わせ室は、前記シーリング構造によって囲まれた領域内に位置することを特徴とする請求項１３に記載の高圧洗浄機。
【請求項２６】
前記シーリング構造は、ブロック状のガスケットであってもよいし、長尺状のウエザストリップであってもよいことを特徴とする請求項１３に記載の高圧洗浄機。
【請求項２７】
高圧洗浄機と、前記高圧洗浄機に電気的に接続される電池パックとを備える高圧洗浄機ユニットであって、前記高圧洗浄機は、
突き合わせ面が設けられた基台を有するハウジングと、
前記基台に接続されるハウジング端子と、
前記ハウジング内に設けられるモータと、水流を外部に搬送するポンプとを有する機能部材とを備え、
前記電池パックは、
前記突き合わせ面と嵌合可能な嵌合面と、
前記ハウジング端子に電気的に接続される電池パック端子とを有し、
前記高圧洗浄機と前記電池パックとが嵌合して前記ハウジング端子と前記電池パック端子とを電気的に接続するための突き合わせ室を形成し、前記突き合わせ室は、前記高圧洗浄機又は前記電池パックに選択的に配置される高圧洗浄機ユニットにおいて、
前記高圧洗浄機及び前記電池パックの少なくとも一方には、シーリング構造が設けられており、前記電池パックが前記高圧洗浄機と嵌合したとき、前記シーリング構造は、前記突き合わせ室をシーリング可能であることを特徴とする高圧洗浄機ユニット。
【請求項２８】
前記ハウジング端子は、少なくとも一部が前記突き合わせ面から外側に突出しており、前記電池パックは、前記電池パック端子を収容するとともに、前記ハウジング端子を挿入して前記電池パック端子に電気的に接続するための挿入空間を有し、前記挿入空間は、前記ハウジング端子と前記電池パック端子とを電気的に接続するための前記突き合わせ室を形成することを特徴とする請求項２７に記載の高圧洗浄機ユニット。
【請求項２９】
前記電池パック端子は、少なくとも一部が前記嵌合面から外側に突出しており、前記ハウジングは、前記ハウジング端子を収容するとともに、前記電池パック端子を挿入して前記ハウジング端子に電気的に接続するための突き合わせ空間を有し、前記突き合わせ空間は、前記ハウジング端子と前記電池パック端子とを電気的に接続するための前記突き合わせ室を形成することを特徴とする請求項２７に記載の高圧洗浄機ユニット。
【請求項３０】
前記シーリング構造は、前記突き合わせ面に接続され、前記シーリング構造は、前記突き合わせ面の少なくとも一部に密着し、前記電池パックが前記高圧洗浄機と嵌合したとき、前記シーリング構造は、前記突き合わせ室をシーリング可能であることを特徴とする請求項２７に記載の高圧洗浄機。
【発明の詳細な説明】
【技術分野】
【０００１】
本開示の実施例は、高圧洗浄機及び高圧洗浄機ユニットに関し、特に高圧洗浄機のハウジングと電池パックとの間のシーリングに関する。
【背景技術】
【０００２】
家庭生活や戸外活動では、洗浄のニーズがずっと広く存在している。
【０００３】
家庭の庭を中心とする家庭生活では、人々は常に、ベランダ、廊下、屋外のテーブル・椅子、グリル、自動車、自転車、ガレージ、ペット、ガーデンツール、窓、プール、屋外階段などを洗浄する必要がある。これらの物品は、使用場面が屋外にあるため、泥汚れ、油汚れ、木の葉、埃などの汚れが不可避的に付着してしまい、雑巾で洗浄するのは非常に不便であり、水流ひいては高圧水流を用いてスプレー洗浄する必要がある。上記ニーズを満たすために、市場では、家庭用の高圧洗浄機が提供されている。
【０００４】
一方、登山、クロスカントリー、サイクリング、キャンプ、乗馬、ボート遊びなどの戸外活動では、環境がより自然に近く、活動が激しいため、活動に関わる道具や動物はより汚れやすく、タイムリーに洗浄する必要がある。例えば、自動車、オートバイや自転車は野原を走行した後、必然的に泥土に塗れ、艦船や筏などは航行後に、船体に付いている泥や水草を片づける必要もある。馬やユーザも汗をかいたり泥を付けたりするので、体の不快感を避けるために、タイムリーにシャワーを浴びたり洗い流したりするほうがよい。
【０００５】
上記したように、ユーザは、様々な場面、様々な場所で洗浄するニーズがあるが、現在市販の関連製品は使用時に、水が機器の内部に浸入することが多いため、安全上の問題が存在し、漏電や感電のおそれがある。
【０００６】
したがって、上記問題を解決するために、新たな高圧洗浄機を提供する必要がある。
【発明の概要】
【０００７】
従来技術の欠点を克服するために、本開示の実施例が解決しようとする課題は、吐水圧力を調整可能な高圧洗浄機を提供することである。
【０００８】
従来技術の課題を解決するために、本開示の実施例は、技術的手段として、把持用のハンドルと前記ハンドルと角度をなすように設けられる本体部とを有するハウジングと、前記ハウジング内に設けられるモータとモータによって駆動されるポンプとを有する機能部材と、前記ハウジング内に設けられ、前記モータに接続されて前記モータの動作を制御する制御部と、前記ハウジングに設けられ、前記モータの起動と停止を制御するメインスイッチとを備え、前記ハウジングには、前記メインスイッチとは独立した調速部材がさらに設けられ、前記調速部材は、前記制御部に接続され、前記制御部は、前記調速部材の調速指示に従って前記ポンプの吐水圧力を調整するように前記モータの回転数を制御する手持ち式高圧洗浄機を採用する。
【０００９】
一実施形態では、前記調速部材は、多段階調速部材であり、前記多段階調速部材は、少なくとも２つの速度段を有し、前記少なくとも２つの速度段はそれぞれ、高速段及び低速段である。
【００１０】
一実施形態では、前記多段階調速部材は、複数の操作位置を有する１つの操作部材を備え、前記１つの操作部材の複数の操作位置は、異なる速度段に対応する。
【００１１】
一実施形態では、前記多段階調速部材は、少なくとも２つの操作部材を備え、前記少なくとも２つの操作部材は、異なる速度段に対応する。
【００１２】
一実施形態では、前記手持ち式高圧洗浄機は、前記本体部に接続される吐出ヘッドをさらに備え、前記吐出ヘッドは、ロングガン吐出ヘッド、ショートガン吐出ヘッド及び伸縮式吐出ヘッドのうちの１つまたは複数の組み合わせを含む。
【００１３】
一実施形態では、前記手持ち式高圧洗浄機は、前記本体部と前記ロングガン吐出ヘッドとを接続して形成される第１の動作モードと、前記本体部と前記ショートガン吐出ヘッドとを接続して形成される第２の動作モードとを備え、前記第１の動作モードにおける前記調速部材の調速範囲は、前記第２の動作モードにおける前記調速部材の調速範囲と異なる。
【００１４】
一実施形態では、前記手持ち式高圧洗浄機が第１の動作モードにあるとき、前記調速部材の調速範囲は、０．６ＭＰａ〜１０ＭＰａである。
【００１５】
一実施形態では、前記手持ち式高圧洗浄機が第２の動作モードにあるとき、前記調速部材の調速範囲は、０．２ＭＰａ〜０．６９ＭＰａである。
【００１６】
一実施形態では、前記制御部は、前記本体部に接続される前記吐出ヘッドのタイプを識別するとともに、前記吐出ヘッドのタイプに応じて前記手持ち式高圧洗浄機が前記第１の動作モード又は前記第２の動作モードになるように制御する識別モジュールをさらに備える。
【００１７】
一実施形態では、前記ロングガン吐出ヘッドの長さは、前記ショートガン吐出ヘッドの長さよりも大きく、前記ロングガン吐出ヘッドには、トリガ部材が設けられており、前記ショートガン吐出ヘッドには、トリガ部材が設けられておらず、前記識別モジュールは、前記トリガ部材を識別して識別結果を出力可能であり、前記制御部は、前記識別結果に基づいて前記手持ち式高圧洗浄機が前記第１の動作モード又は前記第２の動作モードになるように前記モータを制御する。
【００１８】
一実施形態では、前記トリガ部材は、磁石又は誘導コイルであり、前記識別モジュールは、前記磁石又は前記誘導コイルの磁界強度を検出するためのホール検出素子である。
【００１９】
一実施形態では、前記伸縮式吐出ヘッドは、引張状態で形成された第１の長さの吐出ヘッドと、圧縮状態で形成された第２の長さの吐出ヘッドとを有し、前記第１の長さの吐出ヘッドが前記本体部に接続されたときの前記調速部材の調速範囲は、前記第２の長さの吐出ヘッドが前記本体部に接続されたときの前記調速部材の調速範囲と異なる。
【００２０】
一実施形態では、前記手持ち式高圧洗浄機は、前記本体部に接続される前記吐出ヘッドのタイプを識別するとともに、識別結果に基づいて前記ポンプの吐水圧力を調整するように前記モータの回転数を制御することができる。
【００２１】
上記のことに鑑みて、本開示の実施例の目的の１つは、安全ロックボタンを有する高圧洗浄機を提供することにある。
【００２２】
上記目的を達成するために、本開示の実施例は、技術的手段として、把持用のハンドルを有するハウジングと、ハウジング内に設けられるモータとモータによって駆動されるポンプとを有する機能部材と、前記ハウジングに設けられ、前記手持ち式高圧洗浄機の開閉を制御する起動スイッチと、を備え、前記起動スイッチは、前記手持ち式高圧洗浄機を起動させる開位置と、前記手持ち式高圧洗浄機をオフにする閉位置とを有し、前記ハウジングには、セルフロックキーがさらに設けられ、前記セルフロックキーは、前記起動スイッチの前記開位置への移動を規制するロック状態と、前記起動スイッチが前記開位置に移動可能であるアンロック状態とを有し、前記セルフロックキーが前記ロック状態にあるとき、前記起動スイッチは、前記開位置に移動して前記手持ち式高圧洗浄機を起動させることができず、前記セルフロックキーが前記アンロック状態にあるとき、前記起動スイッチは、前記開位置に移動して前記手持ち式高圧洗浄機を起動させるか、又は前記開位置から前記閉位置に移動して前記手持ち式高圧洗浄機をオフにすることができる手持ち式高圧洗浄機を採用する。
【００２３】
一実施形態では、前記起動スイッチは、前記セルフロックキーに係合するロック部を有し、前記セルフロックキーがロック状態にあるとき、前記セルフロックキーは、前記ロック部に当接して前記起動スイッチが前記ハウジングに対して前記開位置に移動することを規制し、前記セルフロックキーがアンロック状態にあるとき、前記起動スイッチは、前記ハウジングに対して前記開位置に移動可能である。
【００２４】
一実施形態では、前記セルフロックキーは、キー本体部をさらに有し、前記起動スイッチが前記閉位置にあるとき、前記キー本体部は、前記ロック部に当接し、前記セルフロックキーを前記ロック状態から前記アンロック状態に移動させるように、前記ハウジングに対して所定の方向に動作可能に移動可能である。
【００２５】
一実施形態では、前記キー本体部は、角度をなすように設けられる押圧部及び阻止部を有し、前記セルフロックキーは、前記ハウジングと前記押圧部との間に挟持される弾性部材をさらに有し、前記押圧部は、前記阻止部を前記所定の方向に移動させるように前記弾性部材に動作可能に作用する。
【００２６】
一実施形態では、前記セルフロックキーがロック状態にあるとき、前記弾性部材は、非圧縮の自由状態にあり、前記セルフロックキーがアンロック状態にあるとき、前記弾性部材は、圧縮状態にある。
【００２７】
一実施形態では、前記ロック部の移動経路は、前記阻止部の移動経路に垂直である。
【００２８】
一実施形態では、前記ロック部には、内方へ凹む中空部が形成されており、前記セルフロックキーがアンロック状態にあるとき、前記起動スイッチは、前記阻止部が前記中空部に収容されるように、前記ハウジングに動作可能に移動する。
【００２９】
一実施形態では、前記起動スイッチが前記開位置から前記閉位置に移動すると、前記ロック部は、前記阻止部が前記中空部から離脱し、前記セルフロックキーが前記弾性部材の作用により前記ロック状態に戻るように、前記阻止部から離れる方向に移動する。
【００３０】
一実施形態では、前記起動スイッチが前記開位置に移動すると、前記阻止部は、前記セルフロックキーが前記弾性部材の作用により前記ロック状態に戻らないように、前記中空部内に規制される。
【００３１】
一実施形態では、前記起動スイッチと前記ハンドルとの間の最大ストロークは、２５ｍｍ未満である。
【００３２】
従来技術の欠点を克服するために、本開示の実施例が解決しようとする課題は、効率的に放熱可能な手持ち式高圧洗浄機を提供することである。
【００３３】
従来技術の課題を解決するために、本開示の実施例は、技術的手段として、把持用のハンドルを有するハウジングと、前記ハウジング内に設けられてポンプを駆動し、前記ポンプに対向する前端部と、前記前端部に対向して設けられる後端部とを有するモータと、前記ハウジングに設けられ、前記手持ち式高圧洗浄機を開閉するためのスイッチとを備え、前記モータは、前記前端部に第１の開口が設けられるモータケースをさらに有し、前記ハウジングは、前記第１の開口に近接する位置に第１の吸込口を設け、前記モータの後端部には、ファンが接続され、前記ハウジングは、前記ファンに近接する位置に吹出口を設け、前記モータは、前記ファンを回転させるように駆動し、発生する冷却風は順次、前記第１の吸込口及び前記第１の開口から流入し、前記モータの内部を通過し、前記吹出口から外部に流出し、前記第１の吸込口と前記吹出口との間には、モータを冷却するための第１の冷却通路が形成されている手持ち式高圧洗浄機を採用する。
【００３４】
一実施形態では、前記ファンは、前記モータケース内に設けられ、前記モータケースは、前記ファンの周方向に風孔を設け、前記吹出口は、前記風孔と連通し、前記モータは、前記ファンを回転させるように駆動し、発生する冷却風は、前記第１の冷却通路に流入し、前記風孔を通過して前記吹出口から外部に流出する。
【００３５】
一実施形態では、前記モータケースは、前記モータの後端部に第２の開口を設け、前記ハウジングは、前記第２の開口の下方に近接する位置に外部と連通可能な第２の吸込口を設け、前記モータは、前記ファンを回転させるように駆動し、発生する冷却風は、前記第２の吸込口から流入し、かつ前記第２の開口から流入し、前記モータの後端部を通過して前記吹出口から外部に流出し、前記第２の吸込口と前記吹出口との間には、モータを冷却するための第２の冷却通路が形成されている。
【００３６】
一実施形態では、前記ハウジングは、その内壁から内側に突出する第１の仕切板を有し、前記第１の仕切板は、周方向において前記モータケースの外壁に当接し、かつ前記第２の吸込口と前記吹出口との間に設けられている。
【００３７】
一実施形態では、前記ハウジングは、その内壁から内側に突出する第２の仕切板を有し、前記第２の仕切板は、周方向において前記モータケースの外壁に当接し、かつ前記第１の吸込口と前記吹出口との間に設けられている。
【００３８】
一実施形態では、前記第２の吸込口の位置する平面における前記スイッチの正投影は、前記第２の吸込口を覆い、前記スイッチが前記手持ち式高圧洗浄機を起動させる開位置にあるとき、前記スイッチは、前記第２の吸込口を遮蔽する。
【００３９】
一実施形態では、前記第１の吸込口は、少なくとも１つの吸込溝を有し、前記吹出口は、少なくとも１つの吹出溝を有し、前記吸込溝及び前記吹出溝はそれぞれ、前記ハウジングの外壁が内方へ凹んで形成され、前記吸込溝及び前記吹出溝の底部はそれぞれ、阻止板を有し、前記阻止板と前記ハウジングとの間には、隙間が形成されている。
【００４０】
一実施形態では、前記吸込溝の延在方向は、前記モータの軸方向に平行であり、前記吹出溝の延在方向は、前記モータの軸方向に垂直である。
【００４１】
一実施形態では、前記吸込溝及び前記吹出溝の開口方向はそれぞれ、前記隙間の開口方向と角度をなすように設けられる。
【００４２】
一実施形態では、前記吸込溝及び前記吹出溝の開口方向はそれぞれ、前記隙間の開口方向と９０°をなすように設けられる。
【００４３】
本開示の実施例が解決しようとする課題は、片手で簡単に水圧を調整可能な手持ち式高圧洗浄機を提供することである。
【００４４】
従来技術の課題を解決するために、本開示の実施例は、技術的手段として、水流を外部に搬送する吐水部を有する高圧洗浄機に嵌合可能な吐出ヘッドにおいて、
基部と、前記基部の一端に位置する嵌合部とを有し、前記嵌合部が前記吐水部に嵌合可能な吐出ヘッドケースと、
前記基部の他端に接続されるノズルと、
を備え、
前記嵌合部が前記吐水部に嵌合したとき、前記嵌合部は、前記吐水部に対して回転不可能であり、前記水流は、前記吐水部から前記吐出ヘッドケースに流入し、かつ前記ノズルから外部に吐出し、前記ノズルは、異なるタイプの水流が前記ノズルから外部に吐出されるように、前記吐出ヘッドケースに対して動作可能に回転可能である吐出ヘッドを採用する。
【００４５】
一実施形態では、前記吐水部及び前記嵌合部の一方は、回転防止プラグとして配置され、前記吐水部及び前記嵌合部の他方は、前記回転防止プラグに回転不可能に接続された回転防止ソケットとして配置されている。
【００４６】
一実施形態では、前記回転防止プラグは、フラット構造であり、前記回転防止ソケットは、前記フラット構造に適合するフラット溝である。
【００４７】
一実施形態では、前記ノズルは、異なる形態の複数の吐水口を有し、前記ノズルケースは、前記吐水口と連通して配置可能な水流通路を有し、前記複数の吐水口は、前記異なるタイプの水流が前記ノズルから外部に吐出されるように、前記水流通路と択一的に連通する。
【００４８】
本開示の実施例は、上記吐出ヘッドを用いる高圧洗浄機において、水流を外部に搬送する吐水部を有するハウジングと、水流を外部に搬送するポンプとポンプの動作を駆動するモータとを有する機能部材と、前記ハウジングに接続される吐出ヘッドと備え、前記吐出ヘッドは、基部と前記基部の一端に位置する嵌合部とを有し、前記嵌合部が前記吐水部に嵌合可能な吐出ヘッドケースと、前記基部の他端に接続されるノズルとを有し、前記嵌合部が前記吐水部に嵌合したとき、前記嵌合部は、前記吐水部に対して回転不可能であり、前記水流は、前記吐水部から前記吐出ヘッドケースに流入し、かつ前記ノズルから外部に吐出し、前記ノズルは、異なるタイプの水流が前記ノズルから外部に吐出されるように、前記吐出ヘッドケースに対して動作可能に回転可能である吐出ヘッドとを備える高圧洗浄機をさらに提供している。
【００４９】
一実施形態では、前記ノズルは、前記吐出ヘッドケースに対して回転する回転軸を有し、前記高圧洗浄機は、前記嵌合部と前記吐水部との接続部に設けられるロックユニットを有し、前記ロックユニットは、前記吐出ヘッドが前記回転軸の延在方向に移動するのを規制するロック位置と、前記吐出ヘッドが前記回転軸の延在方向に沿って前記吐水部から離脱可能な解放位置とを有する。
【００５０】
一実施形態では、前記ハウジングは、把持用のハンドルと、前記ハンドルと角度をなすように設けられる本体部とを有し、前記モータ及び前記ポンプは、前記本体部内に設けられる。
【００５１】
一実施形態では、前記吐水部は、前記本体部の自由端に形成され、前記自由端及び前記ハンドルは、前記本体部の両側に位置し、前記水流は、前記水流が外部に吐出されるように、前記ポンプの加圧により前記自由端から前記吐出ヘッドに流れることができる。
【００５２】
一実施形態では、前記ハウジングは、前記吐出ヘッドと前記本体部との間に接続される銃身アタッチメントをさらに備え、前記銃身アタッチメントは、ロングガンアタッチメント、ショートガンアタッチメント及び伸縮式の銃身アタッチメントのうちの１つ又は複数の組み合わせを含み、前記銃身アタッチメントの一端は、前記本体部と連通し、前記吐水部は、前記銃身アタッチメントの他端に形成され、前記水流は、前記ポンプの加圧により前記本体部から前記銃身アタッチメントの他端に流れ、かつ前記吐出ヘッドを介して外部に吐出可能である。
【００５３】
一実施形態では、前記高圧洗浄機は、前記ハウジングと前記吐出ヘッドとの間に接続されるユニバーサルロッドを備え、前記ユニバーサルロッドは、前記ハウジングに直接接続可能なユニバーサルロッドヘッドを有し、前記吐水部は、前記ユニバーサルロッドに配置され、かつ前記ユニバーサルロッドヘッドに対向して設けられる。
【００５４】
一実施形態では、前記吐出ヘッドケースは、前記基部と前記嵌合部との間に接続されるユニバーサル接続部をさらに備え、前記ユニバーサル接続部と前記嵌合部とは着脱可能に接続され、前記吐出ヘッドケースは、前記ユニバーサル接続部が前記吐水部と直接連通可能な第１の動作モードと、前記嵌合部が前記吐水部と連通する第２の動作モードとを有し、前記吐出ヘッドは、前記第１の動作モードと前記第２の動作モードとの間で選択的に切り替え可能である。
【００５５】
一実施形態では、前記吐水部及び前記嵌合部の一方は、回転防止プラグとして配置され、前記吐水部及び前記嵌合部の他方は、前記回転防止プラグに回転不可能に接続された回転防止ソケットとして配置されている。
【００５６】
一実施形態では、前記回転防止プラグは、フラット構造であり、前記回転防止ソケットは、前記フラット構造に適合するフラット溝である。
【００５７】
上記のことに鑑み、本開示の実施例が解決しようとする課題は、利便性のより高い給水管ユニットを提供することである。
【００５８】
上記目的を達成するために、本開示の実施例は、技術的手段として、
外部の水源を吸引するように高圧洗浄機に接続可能に配置される給水管ユニットにおいて、高圧洗浄機に接続される吐水口と前記吐水口に対向して設けられる給水口とが設けられている水管と、前記給水口に接続されかつ前記水管と連通して設けられる接続口部材とを備え、前記給水管ユニットは、フィルタユニットをさらに備え、前記フィルタユニットは、前記接続口部材に着脱可能に接続される第１のフィルタ部材を有し、前記接続口部材は、前記第１のフィルタ部材及び水源管路接続口に選択的に接続されるユニバーサル接続口を有し、前記給水管ユニットは、前記第１のフィルタ部材を前記ユニバーサル接続口に接続して外部の水源を吸引する第１の動作モードと、前記水源管路接続口を前記ユニバーサル接続口に接続して外部の水源を吸引する第２の動作モードとを有する給水管ユニットを採用する。
【００５９】
一実施形態では、前記第１の動作モードにおいて前記給水管ユニットに接続される外部の水源の清浄度は、前記第２の動作モードにおいて前記給水管ユニットに接続される外部の水源の清浄度よりも低い。
【００６０】
一実施形態では、前記水源管路接続口は、ガーデンホース又は蛇口である。
【００６１】
一実施形態では、前記第１のフィルタ部材は、内外を透かし彫りにする複数のスロットを有し、前記第１のフィルタ部材が前記接続口部材に接続されるとき、前記スロット、前記ユニバーサル接続口及び前記水管は互いに連通して設けられる。
【００６２】
一実施形態では、前記フィルタユニットは、前記接続口部材と前記第１のフィルタ部材とによって形成される収容室内に配置される第２のフィルタ部材をさらに備え、前記第２のフィルタ部材には、複数のフィルタ孔が設けられており、前記フィルタ孔、前記スロット、前記ユニバーサル接続口及び前記水管は互いに連通して設けられ、各フィルタ孔のサイズは、各スロットのサイズよりも小さい。
【００６３】
一実施形態では、前記第２のフィルタ部材は、前記第１のフィルタ部材とは独立して設けられ、かつフィルタメッシュと、フィルタメッシュを支持するための支持フレームとを備える。
【００６４】
一実施形態では、前記給水管ユニットは、前記接続口部材が前記フィルタユニット及び前記水源管路接続口の両方から離脱し、前記接続口部材が独立して前記外部の水源に接続される第３の動作モードをさらに有する。
【００６５】
一実施形態では、前記給水管ユニットは、前記水管に着脱可能に接続されるフック部材を備え、前記外部の水源が容器装置に収容される水源である場合、前記フック部材は、前記水管を位置決めするように、前記容器装置に接続可能である。
【００６６】
一実施形態では、前記フック部材は、前記容器装置に接続される第１の係止部と、前記水管と係合する第２の係止部とを備え、前記第２の係止部は、前記第１の係止部から外側に突出しており、前記第１の係止部は、互いに対向する２つの係止アームを有し、前記フック部材が前記容器装置から離脱するのを防止するために、前記２つの係止アームの自由端には、少なくとも１つの屈曲領域が設けられている。
【００６７】
一実施形態では、前記給水管ユニットは、前記水管の吐水口から離れて設けられるバランスウェイト部材をさらに備える。
【００６８】
一実施形態では、前記バランスウェイト部材は、フープ部と、前記フープ部を締め付ける締結部とを備え、前記フープ部は、前記接続口部材と前記水管との接続領域に設けられている。
【００６９】
一実施形態では、前記給水管ユニットは、前記水管の給水口と前記水管の吐水口との間に接続される浮上部材を備える。
【００７０】
一実施形態では、前記浮上部材は、前記水管に移動可能に接続され、前記水管は、中心軸に沿って軸方向に延び、前記中心軸と前記給水口の位置する平面とは、交差点を形成し、前記浮上部材は、前記吐水口に近接する頂部を有し、前記頂部と前記交差点との間の直線距離は、２５ｃｍ以上である。
【００７１】
一実施形態では、前記給水管ユニットは、前記吐水口に接続される突き合わせユニットをさらに備え、当該突き合わせユニットは、前記高圧洗浄機との速やかな係合を実現できる。
【００７２】
上記のことに鑑み、本開示の実施例が解決しようとする課題は、利便性のより高い高圧洗浄機を提供することである。
【００７３】
上記目的を達成するために、本開示の実施例は、技術的手段として、
ハウジングと、前記ハウジング内に設けられるモータと水流を外部に搬送するポンプとを有する機能部材と、高圧洗浄機に接続される吐水口と前記吐水口に対向して設けられる給水口とが設けられている水管と前記給水口に接続されかつ前記水管と連通して設けられる接続口部材とを備える給水管ユニットであって、前記接続口部材に着脱可能に接続される第１のフィルタ部材を有するフィルタユニットをさらに備え、前記接続口部材は、前記第１のフィルタ部材及び水源管路接続口に選択的に接続されるユニバーサル接続口を有し、前記給水管ユニットは、前記第１のフィルタ部材を前記ユニバーサル接続口に接続して外部の水源を吸引する第１の動作モードと、前記水源管路接続口を前記ユニバーサル接続口に接続して外部の水源を吸引する第２の動作モードとを有する給水管ユニットとを備える高圧洗浄機を採用する。
【００７４】
一実施形態では、前記第１の動作モードにおいて前記給水管ユニットに接続される外部の水源の清浄度は、前記第２の動作モードにおいて前記給水管ユニットに接続される外部の水源の清浄度よりも低い。
【００７５】
一実施形態では、前記水源管路接続口は、ガーデンホース又は蛇口である。
【００７６】
一実施形態では、前記高圧洗浄機は、手持ち式高圧洗浄機であり、前記ハウジングは、把持用のハンドルと、前記ハンドルと角度をなすように設けられる本体部とを有する。
【００７７】
上記のことに鑑み、本開示の実施例が解決しようとする課題は、利便性のより高い給水管ユニットを提供することである。
【００７８】
上記目的を達成するために、本開示の実施例は、技術的手段として、
外部の水源を吸引するように高圧洗浄機に接続可能に配置される給水管ユニットにおいて、中心軸に沿って軸方向に延びる水管であって、前記高圧洗浄機に接続される吐水口と前記吐水口に対向して設けられる給水口とを有する水管と、前記給水口に接続されかつ前記水管と連通して設けられる接続口部材とを備え、前記給水管ユニットは、前記水管の給水口と前記水管の吐水口との間に移動可能に接続される浮上部材を備え、前記中心軸と前記給水口の位置する平面とは、交差点を形成し、前記浮上部材は、前記吐水口に近接する頂部を有し、前記頂部と前記交差点との間の直線距離は、２５ｃｍ以上である給水管ユニットを採用する。
【００７９】
一実施形態では、前記頂部と前記交差点との間の直線距離は、３０〜１００ｃｍである。
【００８０】
一実施形態では、前記浮上部材は、本体部と、前記本体部の外周に塗布された着色層とを有し、前記着色層の色は、前記水管及び前記外部の水源の色と異なる。
【００８１】
一実施形態では、前記給水管ユニットは、前記接続口部材に着脱可能に接続されるフィルタユニットを備え、前記フィルタユニットは、前記接続口部材に接続される第１のフィルタ部材と、前記接続口部材と前記第１のフィルタ部材とによって形成される収容室内に配置される前記第２のフィルタ部材とを備える。
【００８２】
一実施形態では、前記第１のフィルタ部材には、内外を透かし彫りにする複数のスロットが設けられ、前記スロットは、前記水管と互いに連通して設けられ、前記第２のフィルタ部材には、複数のフィルタ孔が設けられ、前記フィルタ孔、前記スロット及び前記水管は互いに連通して設けられ、各フィルタ孔の孔隙は、各スロットのスリットよりも小さい。
【００８３】
一実施形態では、前記給水管ユニットは、前記浮上部材と前記給水口との間に設けられるバランスウェイト部材を備える。
【００８４】
一実施形態では、前記バランスウェイト部材は、フープ部と、前記フープ部を締め付ける締結部とを有し、前記フープ部は、前記接続口部材と前記水管との接続領域に設けられる。
【００８５】
一実施形態では、前記給水管ユニットが前記外部の水源内に配置されたとき、前記浮上部材によって生じる浮力は、前記フィルタユニット、前記接続口部材及び前記バランスウェイト部材の総重力以上である。
【００８６】
一実施形態では、前記給水管ユニットは、前記水管に着脱可能に接続されるフック部材を備え、前記外部の水源が容器装置に収容される水源である場合、前記フック部材は、前記水管を位置決めするように、前記容器装置に接続可能である。
【００８７】
上記のことに鑑み、本開示の実施例が解決しようとする課題は、利便性のより高い高圧洗浄機を提供することである。
【００８８】
上記目的を達成するために、本開示の実施例は、技術的手段として、
ハウジングと、前記ハウジング内に設けられるモータと水流を外部に搬送するポンプとを有する機能部材と、中心軸に沿って軸方向に延びる水管であって、前記高圧洗浄機に接続される吐水口と前記吐水口に対向して設けられる給水口とを有する水管と、前記給水口に接続されかつ前記水管と連通して設けられる接続口部材とを備える給水管ユニットであって、前記水管の給水口と前記水管の吐水口との間に移動可能に接続される浮上部材を備え、前記中心軸と前記給水口の位置する平面とは、交差点を形成し、前記浮上部材は、前記吐水口に近接する頂部を有し、前記頂部と前記交差点との間の直線距離は、２５ｃｍ以上である給水管ユニットとを備える高圧洗浄機を採用する。
【００８９】
上記のことに鑑み、本開示の実施例が解決しようとする課題は、利便性がより高く、洗浄効率がよりよい手持ち式高圧洗浄機を提供することである。
【００９０】
上記目的を達成するために、本開示の実施例は、技術的手段として、把持用のハンドルと、前記ハンドルと角度をなすように設けられる本体部と水流を外部に吐出する吐水部とを有するハウジングと、前記ハウジング内に設けられるモータと水流を外部に搬送するポンプとを有する機能部材と、前記ハウジングに設けられ、前記手持ち式高圧洗浄機の開閉状態を制御する起動スイッチとを備え、前記手持ち式高圧洗浄機の外部に出力する作動水圧は、０．２ＭＰａ〜１０ＭＰａであり、かつ外部に出力する作動水流量は、１．５Ｌ／Ｍｉｎ〜８Ｌ／Ｍｉｎである手持ち式高圧洗浄機を採用する。
【００９１】
一実施形態では、前記手持ち式高圧洗浄機の外部に出力する作動水圧が０．２ＭＰａ以上０．６ＭＰａ未満である場合、前記作動水流量に対する前記作動水圧の比は、０．０２５〜０．１８であり、前記手持ち式高圧洗浄機の外部に出力する作動水圧が０．６ＭＰａ以上１０ＭＰａ以下である場合、前記作動水流量に対する前記作動水圧の比は、０．２５〜２．５である。
【００９２】
一実施形態では、前記手持ち式高圧洗浄機の外部に出力する作動水圧が０．２ＭＰａ以上０．６Ｍｐ未満である場合、前記作動水流量は、１．５Ｌ／Ｍｉｎ以上８Ｌ／Ｍｉｎ以下である。
【００９３】
一実施形態では、前記手持ち式高圧洗浄機の外部に出力する作動水圧が０．６ＭＰａ以上１０Ｍｐ未満である場合、前記作動水流量は、１．５Ｌ／Ｍｉｎ以上８Ｌ／Ｍｉｎ以下である。
【００９４】
一実施形態では、前記手持ち式高圧洗浄機は、直流で給電され、前記直流電源は、電池パックであり、前記電池パックの数は、１つ以上であり、１つの電池パックの定格電圧は、１８〜５６Ｖである。
【００９５】
一実施形態では、前記ポンプは、ポンプ本体と、
前記ポンプ本体内に設けられる単一のプランジャとを備え、前記手持ち式高圧洗浄機は、前記単一のプランジャに接続される伝達機構を備え、前記伝達機構は、前記モータの回転運動を前記単一のプランジャの往復運動に変換する。
【００９６】
一実施形態では、前記モータは、高速モータであり、前記モータの回転数は、１００００ｒｐｍよりも大きく、前記伝達機構は、歯車減速機構を備え、前記歯車減速機構の減速比は、１２：１〜３：１である。
【００９７】
一実施形態では、前記伝達機構は、前記ポンプと前記歯車減速機構との間に接続される偏心機構を備え、前記モータは、前記偏心機構の移動を駆動して前記単一のプランジャを前記ポンプ本体内で往復移動させる。
【００９８】
一実施形態では、前記手持ち式高圧洗浄機は、機能部材に給電する電池パックを備え、前記手持ち式高圧洗浄機の機能部材の重量が１２００ｇ以下で、かつ前記単一の電池パックの重量が１０００ｇ以下である場合、前記手持ち式高圧洗浄機の外部に出力する作動水圧は、０．２ＭＰａ〜６ＭＰａであり、作動水流量は、１．５Ｌ／Ｍｉｎ〜８Ｌ／Ｍｉｎである。
【００９９】
一実施形態では、前記電池パックの数は、１つであり、前記１つの電池パックは、定格電圧が１８Ｖで、定格容量が２Ａｈとなるように配置され、前記手持ち式高圧洗浄機が開状態にあるとき、前記吐水部が水流を外部に連続的に吐出する時間は、１０〜６０ｍｉｎである。
【０１００】
一実施形態では、前記ポンプは、ポンプ本体と、前記ポンプ本体内に設けられる３つのプランジャとを備え、前記手持ち式高圧洗浄機は、前記３つのプランジャに接続される伝達機構を備え、前記伝達機構は、前記モータの回転運動を前記３つのプランジャの往復運動に変換する。
【０１０１】
一実施形態では、前記モータは、高速モータであり、前記モータの回転数は、１００００ｒｐｍよりも大きく、前記伝達機構は、歯車減速機構を備え、前記歯車減速機構の減速比は、１２：１〜３：１である。
【０１０２】
一実施形態では、前記伝達機構は、前記ポンプと前記歯車減速機構との間に接続される斜板機構を備え、前記モータは、前記斜板機構の移動を駆動して前記３つのプランジャを前記ポンプ本体内で往復移動させる。
【０１０３】
一実施形態では、前記手持ち式高圧洗浄機は、機能部材に給電する電池パックを備え、前記手持ち式高圧洗浄機の機能部材の重量が２５００ｇ以下で、前記単一の電池パックの重量が１５００ｇ以下である場合、前記手持ち式高圧洗浄機の外部に出力する作動水圧は、２ＭＰａ〜１０ＭＰａであり、作動水流量は、３Ｌ／Ｍｉｎ〜８Ｌ／Ｍｉｎである。
【０１０４】
一実施形態では、前記電池パックは、定格電圧が１８Ｖとなるように配置され、前記単一の電池パックの定格容量が２Ａｈである場合、前記電池パックの数は、２つであり、前記単一の電池パックの定格容量が４Ａｈである場合、前記電池パックの数は、１つであり、前記手持ち式高圧洗浄機が開状態にあるとき、前記手持ち式高圧洗浄機が水流を外部に連続的に吐出する時間は、１０〜１２０ｍｉｎである。
【０１０５】
一実施形態では、前記手持ち式高圧洗浄機の重量は、１．５ｋｇ以上６ｋｇ以下である。
【０１０６】
一実施形態では、前記ハウジングは、前記起動スイッチとは独立した調速部材をさらに備え、前記手持ち式高圧洗浄機は、前記ハウジング内に設けられる制御部を備え、前記制御部は、前記モータの動作を制御し、前記調速部材は、前記制御部に接続され、前記制御部は、前記調速部材の調速指示に従って前記ポンプによって出力される作動水圧を調整するように前記モータの回転数を制御する。
【０１０７】
上記目的を達成するために、本開示の実施例は、技術的手段として、
把持用のハンドルと、前記ハンドルと角度をなすように設けられる本体部と水流を外部に吐出する吐水部とを有するハウジングと、前記ハウジング内に設けられるモータと水流を外部に搬送するポンプとを有する機能部材と、前記ハウジングに設けられ、前記手持ち式高圧洗浄機の開閉状態を制御する起動スイッチとを備え、前記手持ち式高圧洗浄機は、スプレー・シャワーモードと、洗浄モードとを有し、前記手持ち式高圧洗浄機が前記スプレー・シャワーモードにあるとき、前記手持ち式高圧洗浄機の外部に出力する作動水圧は、０．２ＭＰａ以上０．６ＭＰａ未満であり、前記作動水流量は、１．５Ｌ／Ｍｉｎ以上８Ｌ／Ｍｉｎ以下であり、前記手持ち式高圧洗浄機が前記洗浄モードにあるとき、前記手持ち式高圧洗浄機の外部に出力する作動水圧は、０．６ＭＰａ以上１０ＭＰａ以下であり、前記作動水流量は、１．５Ｌ／Ｍｉｎ以上８Ｌ／Ｍｉｎ以下である手持ち式高圧洗浄機を採用する。
【０１０８】
一実施形態では、前記手持ち式高圧洗浄機が前記スプレー・シャワーモードにあるとき、前記作動水流量に対する前記作動水圧の比は、０．０２５〜０．１８であり、前記手持ち式高圧洗浄機が洗浄モードにあるとき、前記作動水流量に対する前記作動水圧の比は、０．２５〜２．５である。
【０１０９】
上記のことに鑑み、本開示の実施例が解決しようとする課題は、構造が簡単で防水可能な高圧洗浄機を提供することである。
【０１１０】
高圧洗浄機において、突き合わせ面が設けられた基台を有するハウジングと、前記基台に接続されるハウジング端子と、前記ハウジング内に設けられるモータと水流を外部に搬送するポンプとを有する機能部材とを備え、
前記高圧洗浄機は、電池パックに電気的に接続可能であり、前記電池パックは、前記突き合わせ面と嵌合可能な嵌合面と、前記ハウジング端子に電気的に接続される複数の電池パック端子とを有し、前記高圧洗浄機と前記電池パックとが嵌合して前記ハウジング端子と前記電池パック端子とを電気的に接続するための突き合わせ室を形成し、前記突き合わせ室は、前記高圧洗浄機又は前記電池パックに選択的に配置され、前記高圧洗浄機には、シーリング構造が設けられており、前記電池パックが前記高圧洗浄機と嵌合したとき、前記シーリング構造は、前記突き合わせ室をシーリング可能である。
【０１１１】
一実施形態では、前記ハウジング端子は、少なくとも一部が前記突き合わせ面から外側に突出しており、前記電池パックは、前記電池パック端子を収容するとともに、前記ハウジング端子を挿入して前記電池パック端子に電気的に接続するための挿入空間を有し、前記挿入空間は、前記ハウジング端子と前記電池パック端子とを電気的に接続するための前記突き合わせ室を形成する。
【０１１２】
一実施形態では、前記電池パック端子は、少なくとも一部が前記嵌合面から外側に突出しており、前記ハウジングは、前記ハウジング端子を収容するとともに、前記電池パック端子を挿入して前記ハウジング端子に電気的に接続するための突き合わせ空間を有し、前記突き合わせ空間は、前記ハウジング端子と前記電池パック端子とを電気的に接続するための前記突き合わせ室を形成する。
【０１１３】
一実施形態では、前記シーリング構造は、前記突き合わせ面に接続され、前記シーリング構造は、前記突き合わせ面の少なくとも一部に密着し、前記電池パックが前記高圧洗浄機と嵌合したとき、前記シーリング構造は、前記突き合わせ室をシーリング可能である。
【０１１４】
一実施形態では、前記シーリング構造は、軟質ガスケットであり、前記ハウジング端子又は前記電池パック端子が対応的に挿入されるための貫通した複数の開口を有する。
【０１１５】
一実施形態では、前記ハウジングは、対向する一対の側部を有する電池取付台を備え、前記側部と前記基台によって電池パック収容室を区画し、前記電池パック収容室は少なくとも、基壁と基壁に垂直な方向に延びる２つの側壁とを含む３つの壁部を有し、前記基台は、前記突き合わせ面に垂直な方向に延びる頂壁を有し、前記シーリング構造は、前記基壁、前記頂壁及び前記側壁に接続され、前記高圧洗浄機が前記電池パックと嵌合したとき、前記突き合わせ室は、前記シーリング構造によって囲まれた領域内に位置する。
【０１１６】
一実施形態では、前記ハウジングは、対向する一対の側部を有する電池取付台を備え、前記側部と前記基台によって電池パック収容室を区画し、前記電池パック収容室は少なくとも、基壁と基壁に垂直な方向に延びる一対の側壁とを含む３つの壁部を有し、前記側部には、前記側壁に垂直な底壁が設けられ、前記シーリング構造は、前記底壁、前記側壁及び前記基壁に接続され、当前記高圧洗浄機が前記電池パックと嵌合したとき、前記突き合わせ室は、前記シーリング構造によって囲まれた領域内に位置する。
【０１１７】
一実施形態では、前記電池パックは、底部と、前記底部に接続されるカバーとを有し、前記カバーには、放熱口が設けられている。
【０１１８】
一実施形態では、前記高圧洗浄機は、前記ハウジングに設けられて前記放熱口をシーリングするための放熱口ガスケットをさらに備え、前記放熱口ガスケットは、前記放熱口の上方に位置する。
【０１１９】
一実施形態では、前記ハウジングは、前記放熱口ガスケットを収容する収容溝を有し、前記放熱口ガスケットは、前記放熱口に向かう外面を有し、前記放熱口ガスケットが前記収容溝に接続されたとき、前記外面は、少なくとも一部がハウジングの基壁を超えている。
【０１２０】
一実施形態では、前記電池パックは、カバーに設けられて前記放熱口をシーリングするための放熱口ガスケットをさらに備え、前記放熱口ガスケットは、前記放熱口の上方に位置する。
【０１２１】
一実施形態では、前記高圧洗浄機は、手持ち式高圧洗浄機であり、前記ハウジングは、把持用のハンドルと、前記ハンドルと角度をなすように設けられる本体部とを有する。
【０１２２】
前記電池パックに電気的に接続可能な高圧洗浄機において、突き合わせ面が設けられた基台を有するハウジングと、前記基台に接続されるハウジング端子と、前記ハウジング内に設けられるモータと水流を外部に搬送するポンプとを有する機能部材とを備え、前記電池パックは、前記突き合わせ面と嵌合可能な嵌合面と、前記ハウジング端子に電気的に接続される複数の電池パック端子とを有し、前記高圧洗浄機と前記電池パックとが嵌合して前記ハウジング端子と前記電池パック端子とを電気的に接続するための突き合わせ室を形成し、前記突き合わせ室は、前記高圧洗浄機又は前記電池パックに選択的に配置され、前記高圧洗浄機及び前記電池パックの少なくとも一方には、シーリング構造が設けられており、前記電池パックが前記高圧洗浄機と嵌合したとき、前記シーリング構造は、前記突き合わせ室をシーリング可能である。
【０１２３】
一実施形態では、前記ハウジング端子は、少なくとも一部が前記突き合わせ面から外側に突出しており、前記電池パックは、前記電池パック端子を収容するとともに、前記ハウジング端子を挿入して前記電池パック端子に電気的に接続するための挿入空間を有し、前記挿入空間は、前記ハウジング端子と前記電池パック端子とを電気的に接続するための前記突き合わせ室を形成する。
【０１２４】
一実施形態では、前記電池パックは、底部と、前記底部に接続されるカバーとを有し、前記カバーは、頂面を有し、頂面からボスが突設されており、前記ボスは、前記嵌合面に垂直な上面と、前記上面と前記頂面とを接続する一対の側面とを有し、前記挿入空間は、前記上面、前記嵌合面、前記側面のうちの１つの面又は複数の面が電池パックの内部キャビティへ凹んで形成される。
【０１２５】
一実施形態では、前記シーリング構造は、前記挿入空間が形成された１つの面又は複数の面に密着し、前記電池パックが前記高圧洗浄機と嵌合したとき、前記挿入空間は、前記シーリング構造によって囲まれた領域内に位置し、前記シーリング構造は、前記挿入空間を外部からシーリングして隔離可能である。
【０１２６】
一実施形態では、前記シーリング構造は、前記基台の１つの面又は複数の面に密着し、前記電池パックが前記高圧洗浄機と嵌合したとき、前記挿入空間は、前記シーリング構造によって囲まれた領域内に位置し、前記シーリング構造は、前記挿入空間を外部からシーリングして隔離可能である。
【０１２７】
一実施形態では、前記電池パック端子は、少なくとも一部が前記嵌合面から外側に突出しており、前記ハウジングは、前記ハウジング端子を収容するとともに、前記電池パック端子を挿入して前記ハウジング端子に電気的に接続するための突き合わせ空間を有し、前記突き合わせ空間は、前記ハウジング端子と前記電池パック端子とを電気的に接続するための前記突き合わせ室を形成する。
【０１２８】
一実施形態では、前記突き合わせ空間は、前記基台を囲む１つの面又は複数の面が内方へ凹んで形成される。
【０１２９】
一実施形態では、前記シーリング構造は、前記突き合わせ空間を形成する１つの面又は複数の面に密着し、前記電池パックが前記高圧洗浄機と嵌合したとき、前記突き合わせ空間は、前記シーリング構造によって囲まれた領域内に位置し、前記シーリング構造は、前記突き合わせ空間を外部からシーリングして隔離可能である。
【０１３０】
一実施形態では、前記ハウジングは、対向する一対の側部を有する電池取付台を備え、前記側部と前記基台によって電池パック収容室を区画し、前記電池パック収容室は少なくとも、基壁と基壁に垂直な方向に延びる２つの側壁とを含む３つの壁部を有し、前記基台は、突き合わせ面に垂直な方向に延びる頂壁を有し、前記シーリング構造は、前記基壁、前記頂壁及び前記側壁に接続され、前記高圧洗浄機が前記電池パックと嵌合したとき、前記突き合わせ室は、前記シーリング構造によって囲まれた領域内に位置する。
【０１３１】
一実施形態では、前記ハウジングは、対向する一対の側部を有する電池取付台を備え、前記側部と前記基台によって電池パック収容室を区画し、前記電池パック収容室は少なくとも、基壁と基壁に垂直な方向に延びる一対の側壁とを含む３つの壁部を有し、前記側部には、前記側壁に垂直な底壁が設けられ、前記シーリング構造は、前記底壁、前記側壁及び前記基壁に接続され、前記高圧洗浄機が前記電池パックと嵌合したとき、前記突き合わせ室は、前記シーリング構造によって囲まれた領域内に位置する。
【０１３２】
一実施形態では、前記シーリング構造は、前記電池パックの１つの面又は複数の面に密着し、前記電池パックが前記高圧洗浄機と嵌合したとき、前記突き合わせ空間は、前記シーリング構造によって囲まれた領域内に位置し、前記シーリング構造は、前記突き合わせ空間を外部からシーリングして隔離可能である。
【０１３３】
一実施形態では、前記シーリング構造は、前記電池パックの嵌合面に接続され、前記シーリング構造は、前記嵌合面の少なくとも一部に密着し、前記電池パックが前記高圧洗浄機と嵌合したとき、前記シーリング構造は、前記突き合わせ室をシーリング可能である。
【０１３４】
一実施形態では、前記電池パックは、底部と、前記底部に接続されるカバーとを有し、前記カバーは、頂面を有し、頂面からボスが突設されており、前記ボスは、前記嵌合面に垂直な上面と、前記上面と前記頂面とを接続する側面とを有し、前記シーリング構造は、前記上面、前記側面及び前記頂面に接続され、前記高圧洗浄機が前記電池パックと嵌合したとき、前記突き合わせ室は、前記シーリング構造によって囲まれた領域内に位置する。
【０１３５】
一実施形態では、前記シーリング構造は、ブロック状のガスケットであってもよいし、長尺状のウエザストリップであってもよい。
【０１３６】
高圧洗浄機ユニットにおいて、高圧洗浄機と、前記高圧洗浄機に電気的に接続される電池パックとを備え、前記高圧洗浄機は、突き合わせ面が設けられた基台を有するハウジングと、前記基台に接続されるハウジング端子と、前記ハウジング内に設けられるモータ水流を外部に搬送するポンプとを有する機能部材とを備え、前記電池パックは、前記突き合わせ面と嵌合可能な嵌合面と、前記ハウジング端子に電気的に接続される電池パック端子とを有し、前記高圧洗浄機と前記電池パックとが嵌合して前記ハウジング端子と前記電池パック端子とを電気的に接続するための突き合わせ室を形成し、前記突き合わせ室は、前記高圧洗浄機又は前記電池パックに選択的に配置され、前記高圧洗浄機及び前記電池パックの少なくとも一方には、シーリング構造が設けられており、前記電池パックが前記高圧洗浄機と嵌合したとき、前記シーリング構造は、前記突き合わせ室をシーリング可能である。
【０１３７】
一実施形態では、前記ハウジング端子は、少なくとも一部が前記突き合わせ面から外側に突出しており、前記電池パックは、前記電池パック端子を収容するとともに、前記ハウジング端子を挿入して前記電池パック端子に電気的に接続するための挿入空間を有し、前記挿入空間は、前記ハウジング端子と前記電池パック端子とを電気的に接続するための前記突き合わせ室を形成する。
【０１３８】
一実施形態では、前記電池パック端子は、少なくとも一部が前記嵌合面から外側に突出しており、前記ハウジングは、前記ハウジング端子を収容するとともに、前記電池パック端子を挿入して前記ハウジング端子に電気的に接続するための突き合わせ空間を有し、前記突き合わせ空間は、前記ハウジング端子と前記電池パック端子とを電気的に接続するための前記突き合わせ室を形成する。
【０１３９】
一実施形態では、前記シーリング構造は、前記突き合わせ面に接続され、前記シーリング構造は、前記突き合わせ面の少なくとも一部に密着し、前記電池パックが前記高圧洗浄機と嵌合したとき、前記シーリング構造は、前記突き合わせ室をシーリング可能である。
【図面の簡単な説明】
【０１４０】
【図１】図１は、本開示の実施例における高圧洗浄機の斜視模式図である。
【図２】図２は、図１に示す高圧洗浄機の第１のハーフハウジングが取り除かれたときの内部構造を示す模式図である。
【図３】図３は、セルフロックキーの斜視模式図である。
【図４（ａ）】図４（ａ）は、セルフロックキーがセルフロック状態にあるときの断面図である。
【図４（ｂ）】図４（ｂ）は、セルフロックキーがアンロック状態にあり、かつスイッチがオフされたときの断面図である。
【図４（ｃ）】図４（ｃ）は、セルフロックキーがアンロック状態にあり、かつスイッチがオンされたときの断面図である。
【図５（ａ）】図５（ａ）は、ユーザが片手で操作してロックを解除しかつ洗浄機を起動させる操作模式図である。
【図５（ｂ）】図５（ｂ）は、ユーザがロックを解除した後に片手で洗浄機を操作して動作させる模式図である。
【図６（ａ）】図６（ａ）は、図１に示す高圧洗浄機の第１のハーフハウジングの正面図である。
【図６（ｂ）】図６（ｂ）は、図６（ａ）のｂ−ｂ方向に沿う断面図である。
【図６（ｃ）】図６（ｃ）は、図６（ａ）のｃ−ｃ方向に沿う断面図である。
【図７】図７は、ユーザが片手で操作して速度を調整する操作模式図である。
【図８】図８は、図１に示す高圧洗浄機の吐出ヘッドの構成を示す模式図である。
【図９】図９は、機器の重量による作業者の把持快適性のテスト結果を示す表である。
【図１０】図１０は、図１に示す手持ち式高圧洗浄機のポンプの正面図である。
【図１１】図１１は、図１０に示す手持ち式高圧洗浄機のポンプの部分的な爆発図である。
【図１２】図１２は、図１１におけるポンプの部分的な爆発図を別の視点からみた模式図である。
【図１３】図１３は、図１１に示す高圧洗浄機のポンプのプランジャの構成図である。
【図１４】図１４は、図１に示す高圧洗浄機のポンプのプランジャと偏心機構との接続構成図である。
【図１５】図１５は、図１に示す高圧洗浄機のポンプの遊星減速機構の構成図である。
【図１６】図１６は、本開示の実施例の別の実施形態においてポンプがクランクリンク機構を介してプランジャに接続されている模式図である。
【図１７】図１７は、図１に示す吐出ヘッドケース、ノズル及びユニバーサルロッドが嵌合する模式図である。
【図１８】図１８は、高圧洗浄機のユニバーサルロッドの模式図である。
【図１９】図１９は、高圧洗浄機の吐出ヘッドケースがノズルと嵌合する模式図である。
【図２０】図２０は、図１７に示す吐出ヘッドケース、ノズル及びユニバーサルロッドが嵌合する構造のＬ−Ｌ方向に沿う断面図である。
【図２１】図２１は、銃身アタッチメントの構成模式図である。
【図２２】図２２は、高圧洗浄機と給水管ユニットを組み合わせる斜視図である。
【図２３】図２３は、給水管ユニットからフック部材が取り除かれた断面図である。
【図２４】図２４は、給水管ユニットが接続された高圧洗浄機と電池パックとの分解図である。
【図２５】図２５は、高圧洗浄機の部分的な分解図である。
【図２６】図２６は、図１に示す電池パックの斜視図である。
【図２７】図２７は、高圧洗浄機にシーリング構造が接続されている一実施形態の斜視図である。
【図２８】図２８は、高圧洗浄機にシーリング構造が接続されている一実施形態の斜視図である。
【図２９】図２９は、電池パックにシーリング構造が接続されている一実施形態の斜視図である。
【発明を実施するための形態】
【０１４１】
本開示の実施例の利点及び特徴を当業者により容易に理解させ、本開示の実施例の技術的範囲をより明確にするために、以下は、図面を参照しながら、本開示の実施例の好ましい実施形態を詳しく説明する。
【０１４２】
図１〜図２は、略ピストル状のハウジング１０を備える高圧洗浄機１を示している。ハウジング１０は、把持用のハンドル１０６と、機能部材を収容するための本体部１０８とを有する。本体部１０８の内部に、モータ２と、モータ２に接続される伝達機構３と、伝達機構によって駆動されるポンプ４とを有する。この実施例では、ハウジング１０は、左右ハーバード構造を採用し、第１のハーフハウジングと第２のハーフハウジングとを接続して形成される。携帯性の要求を満たすために、高圧洗浄機１自体は、水源を収容する水タンクを有せず、本体部の給水口１０２を介して水管に接続され、そして、水管は外部の水源に接続され、外部の水源は、池や蛇口などであってもよい。この実施例では、高圧洗浄機１は、直流電源の電池パック９によってエネルギーを提供される。電池パック９は、ハンドル１０６の本体部１０８から離れた一端に設けられている。
【０１４３】
この実施例では、ハンドル１０６近傍に起動スイッチ５が設けられ、具体的には、当該起動スイッチ５はトリガであり、外部の水源とポンプ４との連通及びモータ２の回転をトリガする。具体的には、高圧洗浄機１は注水口をさらに備え、注水口はポンプに接続され、注水口とポンプとの間には制御弁が設けられ、起動スイッチは、注水口がポンプと連通して水がポンプの吸引によりポンプ内に入るように制御弁を動作させることができ、もちろん、他の実施例では、制御弁を設けなくてもよく、起動スイッチ５は、モータの回転のみをトリガするように設けられる。
【０１４４】
この実施例では、高圧洗浄機１は、制御基板６をさらに備える。制御基板６はそれぞれ、電池パック９、モータ２及び起動スイッチ５に電気的に接続されている。制御基板６には、電池パック９の給電、モータ２の回転有無及びモータ２の回転速度の変化を制御するための制御プログラムが内蔵されている。この実施例では、制御基板６は、ハンドル１０６と電池パック９との接続部の上方に位置して設けられている。制御基板６は、高圧洗浄機１の吐出ヘッド１１から離れた位置にあるため、吐出ヘッド１１における水しぶきに起因して制御基板６が濡れることを効果的に防止できる。
【０１４５】
使用時の安全性を向上させるために、本実施例では、高圧洗浄機は、セルフロック機能をさらに有する。図１を引き続き参照すると、ハンドル１０６の一方側には、セルフロックキー１２が設けられている。セルフロックキー１２は、ロック状態と、アンロック状態とを有する。セルフロックキー１２がロック状態にあるとき、起動スイッチ５は、閉位置にあり、開位置に移動することができない。セルフロックキー１２がアンロック状態にあるとき、起動スイッチ５は、閉位置と開位置との間で自由に切り替えることができる。具体的には、セルフロックキー１２は、ハンドル１０６と本体部１０８との境界部において、起動スイッチ５側に近接して位置する。セルフロックキー１２の位置配置は、ユーザが高圧洗浄機１を使用するときに片手操作を実現することに役立つ。
【０１４６】
図３は、セルフロックキー１２の構造を示す斜視図である。セルフロックキー１２は、キー本体部１２１を備え、キー本体部１２１は、角度をなすように設けられる押圧部１２１３及び阻止部１２１５を有する。押圧部１２１３は、中空の内部キャビティを有し、全体として筒状をなしている。阻止部１２１５は、押圧部１２１３の一端に接続されるか、又は一体成形される。阻止部は、セルフロックキーをロック状態にさせる第１の位置と、セルフロックキーをアンロック状態にさせる第２の位置とを有する。具体的には、セルフロックキー１２は、ハウジングと押圧部との間に挟持される弾性部材１２３をさらに有し、弾性部材１２３は、押圧部１２１３に作用し、前記押圧部が押圧され前記弾性部材が圧縮状態になったとき、阻止部は第２の位置にあり、セルフロックキー１２はアンロック状態にある。具体的には、弾性部材１２３は押圧部１２１３に作用するので、前記押圧部１２１４を押圧して弾性部材１２３の弾性力を克服することで前記阻止部１２１５をロック位置とアンロック位置との間で移動させることができ、阻止部が第１の位置にあるとき、弾性部材１２３は、非圧縮の自然状態にあり、セルフロックキー１２はロック状態にある一方、阻止部がアンロック位置にあるとき、弾性部材１２３は圧縮状態にあり、セルフロックキー１２はアンロック状態にある。本実施例では、弾性部材１２３は、押圧部の内部キャビティに設けられているが、もちろん、他の実施形態では、弾性部材１２３は、押圧部に外嵌されてもよく、押圧部に復元力を提供できればよい。
【０１４７】
図４（ａ）は、セルフロックキー１２がロック状態にある断面図である。本実施例では、起動スイッチ５は、セルフロックキー１２の阻止部１２１５と協働するロック部を有し、セルフロックキー１２がロック状態にあるとき、阻止部１２１５は起動スイッチ５のロック部に当接し、起動スイッチ５は、開位置に移動して高圧洗浄機を起動させることができない一方、セルフロックキー１２がアンロック状態にあるとき、起動スイッチ５のロック部は、阻止部１２１５に当接しなくなり、起動スイッチ５は、開位置に移動して高圧洗浄機を起動させることができる。具体的には、セルフロックキー１２がロック状態にあるとき、弾性部材１２３は、非圧縮の自然状態にあり、阻止部１２１５はぴったりと起動スイッチ５の第１のロック部５０１に当接し、起動スイッチ５は、Ｘ方向に沿って開位置に移動することができない。図４（ｂ）は、セルフロックキー１２がアンロック状態にある断面図である。押圧部１２１３に外力が掛ると、弾性部材１２３は、外力によってＹ方向に圧縮されて一定の距離だけ移動し、阻止部１２１５も同期的にＹ方向に同じ距離だけ移動し、キー本体部は、ハウジングに対して所定の方向Ｙに移動する。このとき、起動スイッチ５の第１のロック部５０１は阻止部１２１５に当接されなくなり、起動スイッチ５は、Ｘ方向に沿って開位置に移動して外部の水源のポンプ４内への流入とモータ２の回転をトリガすることができる。本実施例では、起動スイッチ５の移動方向Ｘ、すなわちロック部の移動方向Ｘは、セルフロックキー１２の移動方向Ｙに略垂直である。このような構造設計により、ユーザが意図せずに起動スイッチ５をトリガして高圧洗浄機１を起動させることを簡単かつ効果的に防止することができる。
【０１４８】
図４（ｃ）は、セルフロックキー１２がアンロック状態にあり、かつ起動スイッチがオンされたときの断面図である。起動スイッチ５の第１のロック部５０１と第２のロック部５０２との間には、内方へ凹む中空部５０３を有する。起動スイッチ５が開状態にあるとき、阻止部１２１５は、少なくとも一部が起動スイッチ５の中空部５０３に位置する。押圧部１２１３に対する外力が解除された後、キー本体部１２１は、弾性部材１２３の弾性復元力により、Ｙ方向の反対方向に移動する傾向がある。しかし、起動スイッチ５の第１のロック部５０１の阻止機能により、セルフロックキー１２は、Ｙ方向の反対方向に移動してロック状態に戻ることができない。起動スイッチ５がＸ方向の反対方向に向かってオフ状態の位置に移動した後、阻止部１２１５の少なくとも一部が中空部５０３に収容されている状態が維持できなくなり、ロック部５０１が、阻止部１２１５のＹ方向の反対方向への移動を阻害しなくなる場合にこそ、セルフロックキー１２は、弾性部材の作用によりロック状態に戻ることができる。このような構造設計により、ユーザは高圧洗浄機を起動させるとき、セルフロックキーを１回押圧するだけでセルフロックを解除することができ、それによりセルフロックキーをロック状態からアンロック状態に移動させ、その後、起動スイッチ５をトリガして高圧洗浄機１を起動させる状態において、セルフロックキー１２はセルフロック状態に自動的に戻ることがない。起動スイッチ５が閉状態に戻った場合にこそ、セルフロックキー１２も、ロック状態に自動的に戻る。
【０１４９】
図５（ａ）は、高圧洗浄機１を起動させる具体的な操作模式図である。高圧洗浄機１の起動は、２つのステップを含み、まず、セルフロックキー１２をアンロックし、そして、起動スイッチ５をトリガする必要がある。ユーザの片手７２の親指がハンドル１０６の一方側に置かれ、他の４本の指がハンドル１０６の他方側から挿入して起動スイッチ５に接触し、手のひら部位がぴったりとハンドル１０６を握る。高圧洗浄機１を起動させるとき、親指は、押圧部１２１３に圧力をかけてセルフロックキー１２を図４（ａ）のロック状態から図４（ｂ）のアンロック状態にする。セルフロックキー１２がアンロック状態になった後、他の４本の指は、起動スイッチ５がハンドル方向に移動して図４（ｂ）の起動スイッチの閉状態から図４（ｃ）の起動スイッチの開状態になるように、起動スイッチ５を押圧する。高圧洗浄機１が起動した後、ユーザの片手７２の親指は、セルフロックキー１２を押圧しなくてもよいが、起動スイッチを常に開位置に保つ必要がある。その１つの状態模式図を図５（ｂ）に示す。もちろん、ユーザの片手７２の親指をそのままセルフロックキー１２に置いてもよい。高圧洗浄機１をオフにする必要があるとき、ユーザは４本の指を放せば、起動スイッチ５は閉位置に戻る。起動スイッチ５が閉位置に戻る過程で、第１の壁５０１はＸ方向の反対方向に移動し、阻止部１２１５は弾性部材１２３の復元力により、図４（ｃ）のアンロック状態から図４（ａ）のセルフロック状態に自動的に戻る。
【０１５０】
マンマシン工学によりよく適合し、ユーザが片手で操作するときの快適性を向上させるために、ハンドル１０６の幅は３５ｍｍ未満であり、起動スイッチ５とハンドル１０６との間の最大ストロークは２５ｍｍ未満であり、好ましくは、ハンドル１０６の幅は３０ｍｍであり、起動スイッチ５とハンドル１０６との間の最大ストロークは２０ｍｍである。
【０１５１】
本実施例では、ハンドル１０６は、本体部１０８と角度をなすように設けられる。ハンドル１０６の中心軸と本体部１０８の中心軸との角度は、２０°〜６０°である。他の選択可能な実施例では、ハンドル１０６は、ほぼ垂直に配置してもよい。本実施例では、ハンドル１０６は、機器全体の後部に位置する。他の選択可能な実施例では、ハンドル１０６は、機器全体の中央に位置してもよい。
【０１５２】
本実施例では、モータ２は、ポンプ４に対向する前端部２３と、前端部２３の反対側に設けられる後端部２２とをさらに有し、モータ２の前端部２３から出力軸が延び出し、後端部２２にはファン（図示せず）が接続され、また、モータ２は、モータ２の外周に設けられるモータケースをさらに有し、モータケース２０１は、前端部２３に第１の開口を有し、後端部２２に第２の開口を有する。ハウジング１０は、前記第１の開口に近接する位置に第１の開口と連通している第１の吸込口１０４を有し、ファンに近接する位置に吹出口１３を有し、モータ２によって回転駆動されたファンで発生した冷却風が順次、第１の吸込口及び第１の開口から流入し、モータ２の内部を通過し、吹出口１３から外部に流出するように、第１の吸込口１０４と吹出口１３との間には、モータを冷却するための第１の冷却通路が形成されている。好ましくは、第１の開口及び第２の開口（図示せず）は複数あり、かつそれぞれ前端面及び後端面において周方向に等間隔で配置されている。なお、本実施例における「近接」とは、当該部材が別の部材の直上、又は斜め下方、又は斜め上方に設けられているか、あるいは、当該部材が別の部材の周方向に設けられていると解釈できる。
【０１５３】
図１及び図２を引き続き参照すると、本実施例では、第１の吸込口１０４は、第１のハーフハウジング及び第２のハーフハウジングに設けられ、第１のハーフハウジングと第２のハーフハウジングとの接続面に関して対称であり、吹出口１３は、第１のハーフハウジング及び第２のハーフハウジングに設けられ、第１のハーフハウジングと第２のハーフハウジングとの接続面に関して対称である。このように設計することにより、気流の流れがよりスムーズになり、かつ対称配置によってデザイン性が向上し、モータ２の回転によって生じた熱を吹出口１３を介してハウジング１０の外部に放熱することができる。
【０１５４】
本実施例では、ファンは、モータケース２０１内に設けられ、モータケース２０１には、ファンの周方向位置において間隔をあけて風孔２１が設けられ、風孔２１は、吹出口１３と連通している。好ましくは、風孔２１は、複数の長尺状の開口であり、モータケースに等間隔で設けられ、ファンの周方向に延びるが、他の実施例では、ファンは、モータケース内に設けなくてもよい。具体的には、ファンは、遠心ファンであり、モータがファンを回転駆動すると、遠心ファンは、気流をファンの中心からファンの径方向に吹き出し、周方向に設けられる風孔２１を通過して吹出口１３から外部に流出させる。
【０１５５】
好ましくは、モータ２の取付位置の調整により、対向して設けられる２つの風孔２１の開口方向は、左右ハーフハウジングの接続面に垂直であり、吹出口１３は、前記風孔２１の直上に設けられている。こうして、吹出口が左右ハーフハウジングの中央に位置し、気流通路がより短くなるため、気流が容易に風孔２１から吹出口１３へ流出するとともに、構造が対称となり配置が合理的になる。
【０１５６】
本実施例では、高圧洗浄機１のハウジング１０は、モータ２の後端部に近接する下方に、外部と連通可能な第２の吸込口１０５を有し、気流が、第２の吸込口１０５から第２の開口を通ってから、モータ２の後端部を通過して、モータ２の後端部の部材を放熱させ、最後にファンの駆動により吹出口１３から流出するように、第２の吸込口１０５と吹出口１３との間には、モータ２を冷却するための第２の冷却通路が形成されている。本実施例では、モータ２としては、ブラシ付きモータを採用し、第２の吸込口１０５から流入する気流はさらに、カーボンブラシ位置を流れ、カーボンブラシを放熱させるため、カーボンブラシの使用寿命を効果的に向上させることができる。
【０１５７】
本実施例では、ハウジング１０は、その内壁から内方へ突出する第１の仕切板を有し、第１の仕切板は、周方向においてモータケースの外壁に当接し、かつモータの軸方向において第２の吸込口１０５と吹出口１３との間に設けられ、第１の仕切板は、風孔２１から流出する気流と第２の吸込口１０５から流入する気流とが干渉しないように、風孔２１から流出する気流と第２の吸込口から流入する気流とを分離させるため、放熱効果を確保できる。
【０１５８】
さらに、ハウジング１０は、その内壁から内方へ突出する第２の仕切板を有し、前記第２の仕切板は、周方向において前記モータケースの外壁に当接し、かつモータの軸方向において第１の吸込口１０４と吹出口１３との間に設けられ、第２の仕切板は、第２の吸込口１０４から流入する気流が集中的に前端面の開口からモータ２の内部を通過して吹出口１３から流出するように、第２の吸込口１０４から流入する気流がモータケースの外周から吹出口１３に流れるのを阻止するため、モータの内部のロータの放熱を向上させることができる。
【０１５９】
高圧洗浄機１は水の噴射により洗浄を行うため、その使用場面において水しぶきが飛び散る場合がある。水しぶきが吸込口、吹出口を介してハウジング１０の内部に入ることを防止するために、この実施例では、第１の吸込口１０４及び吹出口１３の構造はラビリンス構造であり、第２の吸込口１０５は、起動スイッチ５と前記ハウジングとの接続位置に近接して設けられ、前記スイッチが前記手持ち式高圧洗浄機に取り付けられると、第２の吸込口１０５は、前記スイッチによって遮蔽されるため、水しぶきがその内部に飛散することが防止される。本実施例では、第２の吸込口１０５は、起動スイッチ５とハウジング１０との接続位置に設けられ、第２の吸込口１０５の位置する平面における起動スイッチ５の正投影は、第２の吸込口１０５をカバーし、第２の吸込口と起動スイッチ５との間には間隙を有し、起動スイッチ５が手持ち式高圧洗浄機を起動させる開位置にあるとき、起動スイッチ５は第２の吸込口を遮蔽するため、前記間隙は最も小さい。上記設計により、起動スイッチは第２の吸込口１０５を遮蔽することができるとともに、起動スイッチの開状態において、間隙は最も小さく、水しぶきが第２の吸込口を介してハウジングの内部に浸入することを防止できるため、放熱効果を確保した上で防水機能も有する。
【０１６０】
図６（ａ）は、図１に示す高圧洗浄機の第１のハーフハウジングの正面図であり、図６（ｂ）は、図６（ａ）における吹出口１３のｂ−ｂ方向に沿う断面図であり、図６（ｃ）は、図６（ａ）における吹出口１３のｃ−ｃ方向に沿う断面図である。図６（ｂ）及び図６（ｃ）に示すように、吹出口１３は具体的に、ハウジング１０が放熱部位で内方へ一定の距離だけ凹んで吹出溝が形成される。吹出溝の延在方向は、モータの軸方向に垂直である。吹出溝の底部は、阻止板１３３を有し、阻止板１３３は、吹出溝の延在方向に前記モータに近接する側においてハウジング１０との間に隙間１３１を形成し、吹出溝の延在方向にモータから離れた他方側においてハウジング１０と一体に接続されている。モータで発生した熱は、隙間１３１から外部に流れる。図６（ｃ）に示すように、ハウジングの開口方向は、第１の吸込口の方向と異なり、両者は、角度をなすように配置され、この実施例では、吹出溝の内方への凹み方向は、隙間の開口方向と９０°をなしている。もちろん、溝の内方への凹み方向と隙間の開口方向との角度は、他の数値、例えば６０°、１２０°などに設定してもよい。
【０１６１】
本実施例では、第１の吸込口１０４は、吹出口１３と同様の構成を有し、第１の吸込口１０４は具体的に、ハウジング１０が吸込口を設ける位置で内方へ一定の距離だけ凹んで吸込溝が形成され、吸込溝の延在方向は、モータの軸方向に平行であり、かつモータの下方に位置し、また、吸込溝の底部は、阻止板を有し、阻止板は、吸込溝の延在方向にモータから離れた側においてハウジングに接続され、吸込溝の延在方向にモータに近接する他方側においてハウジング１０との間に隙間を形成する。本実施例では、第１の吸込口１４は、２つの吸込溝を有し、吹出溝の数は１つであり、第１の吸込口のうちモータに近接する吸込溝の阻止板は、吸込溝の延在方向における対向する２つのエッジがいずれもハウジングのエッジに接続されていない。
【０１６２】
他の実施例では、第１の吸込口及び吹出口の吸込溝又は吹出溝の数は、複数に設定してもよく、それぞれの吸込溝又は吹出溝は並列して設けられ、それぞれの吸込溝又は吹出溝の底部は阻止板を有し、モータから離れた１つの吸込溝又は吹出溝のみはその延在方向にモータから離れた側においてハウジングに接続され、モータに近接する側の複数の吸込溝又は吹出溝は、その延在方向における対向する２つのエッジがいずれもハウジングのエッジに接続されていない。
【０１６３】
図８に示すように、本開示の実施例の一実施形態として、手持ち式高圧洗浄機１は少なくとも２種類の銃身アタッチメントを備え、具体的には、本体部１０８に択一的に取り付けられるショートガンアタッチメント１１６及びロングガンアタッチメント１１４を備える。ロングガンアタッチメント１１４は、ショートガンアタッチメント１１６よりも長手方向に長い。図１に示すように、手持ち式高圧洗浄機１の本体部１０８は、ショートガンアタッチメント１１６に接続されているが、もちろん、手持ち式高圧洗浄機１の本体部１０８は、ロングガンアタッチメント１１４にも接続可能である。本実施例では、ロングガンアタッチメント１１４は、ショートガンアタッチメント１１６と延長ガン１１３とを接続して形成される。別の実施形態では、ロングガンアタッチメント及びショートガンアタッチメントは、一体的な伸縮式の銃身アタッチメント（図示せず）として形成され、伸縮式の銃身アタッチメントは、引張状態で形成される第１の長さの銃身と、圧縮状態で形成される第２の長さの銃身とを有する。
【０１６４】
図１、図２及び図７に示すように、この実施例では、高圧洗浄機１は、モータ２の回転数を調整する調速部材７をさらに備える。調速部材７は、制御部６に電気的に接続され、制御部６は、調速部材７の調速指示に従ってモータ２の回転数の変化を制御する。この実施例では、制御部６は、モータ２のデューティ比を調整することによりモータ２の回転数を調整し、すなわち、ＰＷＭ調整回路によってモータの回転数を調整する。モータ２の回転数が変化すると、ポンプ４の運動周期が変化して、高圧洗浄機１の吐水圧力が変化する。他の実施例では、調速部材は、ポンプの出口断面の面積を制御することによりポンプの吐水圧力を調整してもよい。
【０１６５】
この実施例では、調速部材７は具体的に多段階調速部材であり、多段階調速部材は、高速段及び低速段という２つの速度段を有する。よって、多段階調速部材は、２つの操作位置を有する１つの操作部材である。もちろん、調速部材７は、異なる速度段にそれぞれ対応する複数の操作位置を有する１つの操作部材として設定してもよい。他の実施例では、調速部材は、異なる速度段にそれぞれ対応しかつ異なる速度段に切り替えるように選択的に操作される３つ又は複数の操作部材として設定してもよい。
【０１６６】
本実施例では、高圧洗浄機１は、高圧洗浄機１に接続された銃身アタッチメントのタイプによって動作モードが異なり、高速段又は低速段は、動作モードによって対応する吐水圧力も異なる。
【０１６７】
本実施例では、手持ち式高圧洗浄機１は、２つの動作モードを有し、本体部１０８がロングガンアタッチメント１１４に接続されたとき、手持ち式高圧洗浄機１は、第１の動作モードにある一方、本体部１０８がショートガンアタッチメント１１６に接続されたとき、手持ち式高圧洗浄機１は、第２の動作モードにある。第１の動作モードにおける調速部材７の調速範囲は、第２の動作モードにおける調速部材７の調速範囲と異なる。具体的には、第１の動作モードにおける高圧洗浄機１の高速段に対応する吐水圧力は、前記第２の動作モードにおける高圧洗浄機１の高速段に対応する吐水圧力と異なり、第１の動作モードにおける高圧洗浄機１の低速段に対応する吐水圧力は、前記第２の動作モードにおける高圧洗浄機１の低速段に対応する吐水圧力と異なる。
【０１６８】
伸縮式の銃身アタッチメント（図示せず）は、引張状態で形成される第１の長さの銃身と、圧縮状態で形成される第２の長さの銃身とを有する。この実施例では、第１の長さの銃身の軸方向の長さは、第２の長さの銃身よりも大きい、そして、第１の長さの銃身は、前記第１の動作モードにおいて本体部に接続されるロングガンアタッチメントであり、第２の長さの銃身は、前記第２の動作モードにおいて本体部に接続されるショートガンアタッチメントであると理解することもできる。このため、本体部１０８が第１の長さの銃身に接続されたとき、手持ち式高圧洗浄機１は第１の動作モードにあり、本体部１０８が第２の長さの銃身に接続されたとき、手持ち式高圧洗浄機１は第２の動作モードにあると理解することができる。第１の動作モードにおける調速部材７の調速範囲は、第２の動作モードにおける調速部材７の調速範囲と異なる。第１の長さの銃身が本体部に接続されたときに対応する高速段における吐水圧力は、前記第２の長さの銃身が本体部に接続されたときに対応する高速段における吐水圧力と異なる。第１の長さの銃身が前記本体部に接続されたときに対応する低速段における吐水圧力は、第２の長さの銃身が前記本体部に接続されたときに対応する低速段における吐水圧力と異なる。
【０１６９】
手持ち式高圧洗浄機が第１の動作モードにあるとき、調速部材の調速範囲は、０．６ＭＰａ〜１０ＭＰａであってもよく、手持ち式高圧洗浄機が第２の動作モードにあるとき、調速部材の調速範囲は、０．２ＭＰａ〜０．６９ＭＰａであってもよい。
【０１７０】
手持ち式高圧洗浄機１が第１の動作モードにあるとき、制御部６は、調速部材７が低速段にある時外部に出力する吐水圧力が０．６ＭＰａ〜２ＭＰａとなるように、前記モータを制御する一方、手持ち式高圧洗浄機１が第２の動作モードにあるとき、制御部６は、調速部材７が低速段にある時外部に出力する吐水圧力が０．２ＭＰａ〜０．５５ＭＰａとなるように、前記モータを制御する。
【０１７１】
具体的には、高圧洗浄機１がショートガンアタッチメント１１６に接続されたとき、手持ち式高圧洗浄機１は、第２の動作モードにあり、高速段に対応する高圧洗浄機１の水圧は０．６５ＭＰａであり、低速段に対応する高圧洗浄機の水圧は０．４ＭＰａである一方、高圧洗浄機１がロングガンアタッチメント１１４に接続されたとき、手持ち式高圧洗浄機１は、第１の動作モードにあり、高速段に対応する高圧洗浄機１の水圧は６ＭＰａであり、低速段に対応する高圧洗浄機１の水圧は１．４ＭＰａである。他の実施例では、高速段及び低速段に対応する水圧は、他のパラメータ値であってもよい。手持ち式高圧洗浄機１は、異なる４つの吐水圧力範囲を有し、異なる使用ニーズを満たすことができるため、使用場面が広げられる。
【０１７２】
図１〜図２は、略ピストル状のハウジング１０と、ハウジング１０内に設けられる機能部材と、ハウジング１０に設けられて手持ち式高圧洗浄機１の開閉状態を制御する起動スイッチ５とを備える手持ち式高圧洗浄機１を示している。ハウジング１０は、把持用のハンドル１０６と、ハンドル１０６と角度をなすように設けられる本体部１０８と、水流を外部に吐出する吐水部とを有する。この実施例では、ハウジング１０は、左右ハーバード構造を採用し、第１のハーフハウジングと第２のハーフハウジングとを接続して形成される。機能部材は、本体部１０８内に収容されている。ハウジング１０に設けられる起動スイッチ５が操作されると、本体部１０８内に供給された洗浄流体は、目標物体を洗浄するように、吐水部のヘッドから排出される。
【０１７３】
市販の従来の着座型高圧洗浄機は、体積が大きくて重いので、作業現場を切り替えるときには、搬送が面倒である。例えば、家庭の清掃では、窓、車道、階段、自動車を個別に洗浄する場合、異なる場所を行ったり来たりして機器全体を繰り返し搬送する必要がある。本開示の実施例では、高圧洗浄機に求められるのは、携帯性を有する手持ち式高圧洗浄機１である。携帯性の要求を満たすために、手持ち式高圧洗浄機１自体は、水源を収容する水タンクを有せず、本体部１０８の給水口を介して水管（図示せず）に接続され、水管（図示せず）はさらに外部の水源に接続され、外部の水源は、池、水道水であるか、または水タンクもしくは筒体のような容器装置によって提供され得る。手持ち式高圧洗浄機１の作業場面は主に、家庭清掃及び戸外活動を含む。携帯性のニーズを満たすためには、機器全体の重量、作動水圧及び作動水流量、有効洗浄効率、連続洗浄時間などの間の関係のバランスをとる必要がある。
【０１７４】
一実施形態では、手持ち式高圧洗浄機１は、直流で給電され、当該直流電源は、電池パック９である。電池パック９は、ハンドル１０６の本体部１０８から離れた一端に設けられている。機能部材は、ハウジング１０内に設けられるモータ２と、モータ２によって駆動されて水流を外部に搬送するポンプ４と、モータ２とポンプ４との間に接続される伝達機構３とを備える。機能部材は、電池パック９から供給される電力量によって駆動され、機能部材の重量が重いほど、所要の電池パック９からの電力量が大きくなり、電池パック９の重量が重くなる。
【０１７５】
一実施可能な形態では、機能部材の重量は、２５００ｇ以下であり、単一の電池パック９の重量は、１５００ｇ以下であり、別の実施可能な形態では、機能部材の重量は、１２００ｇ以下であり、単一の電池パック９の重量は、１０００ｇ以下である。電池パック９の重量は、電池パック９の数及び電池パック９の仕様によって決定される。本開示の実施例では、電池パック９の数は、１つ以上であり、電池パック９の定格電圧は、１８〜５６Ｖである。一実施可能な形態では、電池パック９の数が１つであり、電池パック９の仕様が定格電圧１８Ｖ、定格容量２Ａｈである場合、電池パック９の重量は３６０ｇである。もちろん、他の実施可能な形態では、手持ち式高圧洗浄機１の洗浄性能に対する要求に応じて、電池パック９の定格電圧は、３６Ｖ又は４２Ｖであってもよく、定格容量は、１．５Ａｈ又は４Ａｈであってもよい、この場合、電池パック９の仕様が異なるため、電池パック９の重量は少し調整される。さらに、本開示の実施例では、電池パック９は、取り外し可能な充電式リチウム電池パックであり、当該リチウム電池パックは少なくとも、異なる種類の直流ツールに適合して接続されるため、異なる種類の直流ツールが電池パック９を共用することが実現され、ユーザの使用コストが低減される。なお、電池パック９は、リチウム電池ではなく、ニッケル水素電池やニッケルクロム電池などであってもよい。
【０１７６】
もちろん、機器全体の重量は、機能部材及び電池パック９の重量だけでなく、他の部品の重量にも影響される。一実施可能な形態では、他の部品の総重量は、５００ｇ以下であり、より好ましくは、４００ｇ又は３００ｇ以下である。機器全体の重量の軽さは、手持ち式高圧洗浄機１が携帯性の要件を満たすかどうかを判断するための重要な基準である。機器の重量が重すぎると、作業者が機器を把持する作業時間が長くなるにつれて、作業者の不快感が増し、作業者の体験性も大幅に低下する。図３に示す表では、異なる重量の機器を異なる作業者に使用して体験させ、なお、図３に示すデータは、各作業者が異なる時間帯に異なる重量の機器を手持ちして複数回テストして得られた平均値であり、そして、テスト状態では、機器は開状態にあり、把持時間は、作業者が不快感を感じることを時間ノードとする。図３の表におけるデータによれば、機器の重量が１ｋｇ以上２ｋｇ以下である場合、作業者の把持時間が長い、機器の重量が２ｋｇを超え６ｋｇ以下である場合、作業者の把持時間が少し短縮し、機器の重量が６ｋｇを超える場合、作業者の把持時間が明らかに短縮した。よって、操作の面からすれば、機器全体の重量の軽さも、手持ち式高圧洗浄機１の連続的な洗浄作業を確保する重要な要因の１つである。なお、機器全体の重量は、電池パック９がハウジング１０に適合して接続された後の総重量であり、かつ水管及び水の重量を含まないと理解されるべきである。
【０１７７】
手持ち式高圧洗浄機１は、ベランダ、廊下、屋外のテーブルと椅子、自動車、自転車、ガレージ、ペット、ガーデンツール、窓、プール、屋外階段などを洗浄する場面を含む多くの作業場面に適用している。作業場面によっては、手持ち式高圧洗浄機１の外部に出力する作動水圧及び作動水流量に対する要求も異なる。作動水圧とは、汚れを洗浄する能力を指し、一定の作動水流量の場合、作動水圧が大きいほど、単位面積当たりの目標物体に対する水流の衝撃力が大きくなり、目標物体の表面からの汚れの剥離速度も速くなる。洗浄される目標物体によっては、要求される作動水圧も変化し、作動水流量とは、汚れを洗浄する効率を指し、一定の作動水圧の場合、作動水流量が大きいほど、目標物体の洗浄が完了するまでの時間が短くなる。なお、上記の一定の作動水流量及び一定の作動水圧は、対応する作動水圧又は作動水流量と協働して、目標物体を洗浄できる最低値と理解されることができる。
【０１７８】
電池パック９の航続時間とは、電池パック９が手持ち式高圧洗浄機１の通常動作を維持できる時間を指す。電池パック９の航続時間は、電池パック９自体の仕様に関わるだけでなく、手持ち式高圧洗浄機１の動作モードにも影響される。同じ容量の電池パックでは、手持ち式高圧洗浄機１の動作時の作動水圧が高くかつ作動水流量も大きい場合、または作動水圧と作動水流量とのいずれか一方が大きい場合には、作動水圧と作動水流量との両方が小さい手持ち式高圧洗浄機に比べて、電池パックの航続時間が短縮される。本開示の実施例に係る手持ち式高圧洗浄機では、外部に出力する作動水圧が、０．２ＭＰａ〜１０ＭＰａであり、外部に出力する作動水流量が、１．５Ｌ／Ｍｉｎ〜８Ｌ／Ｍｉｎである。
【０１７９】
直流の手持ち式高圧洗浄機１全体の重量は主に、機能部材の重量及び電池パック９の重量によって決定される。機能部材の重量は主に、モータ２及びポンプ４の重量によって決定される。本開示の実施例では、ポンプ４は、ポンプ本体と、ポンプ本体内に収容される往復移動ユニットとして用いられるプランジャとを備える。モータ２の回転運動は、伝達機構３によって往復運動に変換され、伝達機構３は、モータ２とポンプ４との間に位置する。
【０１８０】
高圧洗浄機のポンプのプランジャの数は、２つ以上であってもよい。一実施可能な形態では、前記ポンプ４は、体積の小さいシングルプランジャポンプであり、当該シングルプランジャポンプ４は、ポンプ本体４６と、ポンプ本体４６内に設けられる単一のプランジャ４５とを有する。単一のプランジャ４５は、自由に往復移動するように、ポンプ本体４６内に収容される往復移動ユニットとして用いられる。モータ２の回転運動は、伝達機構３によってプランジャ４５の往復運動に変換される。当該伝達機構３は、モータ２とポンプ４との間に接続されている。
【０１８１】
マルチプランジャポンプに比べて、シングルプランジャポンプは、１つの高圧チャンバしか有せず、ポンプは、１つの往復移動周期において、半周期で吸水し、残りの半周期で排水し、つまり、シングルプランジャポンプの各周期のうち、半周期でポンピングしない。よって、シングルプランジャポンプには、排水量が少なく、連続的に吐水できないという問題がある。それを解決するために、残りの半周期で吸い込まれた水が１周期にわたって排出されるようにモータの回転数を所定の範囲に上げる必要があるが、ポンプの吐水圧力の脈動が大きくなってしまい、かつ大きな電力が必要なので、多くのエネルギーが必然的に消費されてしまう。上記問題を解決するとともに、機器全体の重量、作動水圧の範囲、作動水流量の範囲、直流電流で給電される場合の連続洗浄時間が最適な組み合わせを有することを確保するために、本開示の実施例では、手持ち式高圧洗浄機１に適用するシングルプランジャポンプであって、連続的なポンピングを実現できるだけでなく、機器全体の重量が軽く、消費されるモータ電力が少なく、電池パック９の給電時間も長いシングルプランジャポンプが提供されている。
【０１８２】
図４〜図６に示すように、本実施例では、当該シングルプランジャポンプ４は、ポンプ本体４６に設けられる給水口４３０及び吐水口４４０と、給水口４３０及び吐水口４４０と連通する高圧チャンバとをさらに備える。高圧チャンバは、ポンプ本体４６の両端に接続される第１の高圧チャンバ４７及び第２の高圧チャンバ４８を有し、給水口４３０及び吐水口４４０はそれぞれ、第１の高圧チャンバ４７及び第２の高圧チャンバ４８と連通している。手持ち式高圧洗浄機は、より小型で持ちやすくなるために、ハウジング内におけるポンプ４とモータ２との配置関係を特に考慮しなければならない。説明の便宜上、図２に示す前、後、上、下の方向を前方、後方、上方、下方とし、図２の紙面に垂直な方向をハウジングの幅方向とするが、上記定義は、説明するためのものに過ぎず、本開示の実施例への限定になるとは理解されるべきではない。本実施例では、モータ２の回転軸は、前後方向に沿って配置され、ポンプ４は、モータ２の直前に配置されている。機能部材の前後方向の長さをできるだけ小さくするために、ポンプ４をモータの回転軸に垂直な方向に沿って設け、モータ２の回転軸が水平位置にあるとき、プランジャ４５は、上下方向で垂直状態にあり、ポンプ４のモータに近接する側に、モータの回転軸に接続してプランジャ４５の往復移動を駆動するための開口を有する。手持ち式高圧洗浄機が通常使用状態にあるとき、第１の高圧チャンバ４７及び第２の高圧チャンバ４８は、ポンプ本体４６の上下両端に配置され、ポンプ４は、ハウジング１０内において上下方向に配置されている。上記配置形態により、手持ち式高圧洗浄機１の前後方向の長さが最も小さく、その重心がハンドル１０１の把持部により近いため、操作が快適で、構造がコンパクトである。
【０１８３】
ポンプ本体４６には、ポンプ本体４６を貫通する給水分岐路、吐水分岐路及びプランジャ孔が設けられ、プランジャ４５はプランジャ孔内に設けられ、給水分岐路（４３１、４３２）は、給水口４３０と連通し、吐水分岐路（４４１、４４２）は、吐水口４４０と連通し、給水分岐路及び吐水分岐路４４１はいずれも、第１の高圧チャンバ４７及び第２の高圧チャンバ４８と連通している。
【０１８４】
伝達機構３は、プランジャ４５の両端を第１の高圧チャンバ４７及び第２の高圧チャンバ４８内で往復移動させる。伝達機構３の伝達により、プランジャ４５の両端は、第１の高圧チャンバ４７及び第２の高圧チャンバ４８内で往復移動し、プランジャ４５は、ポンプ４が連続的にポンピングするように、往復移動中に第１の高圧チャンバ４７及び第２の高圧チャンバ４８を交互に押圧するため、単一の高圧チャンバを有するプランジャポンプに比べて、ポンピング効率は１倍向上される。ポンプの１周期内において押圧状態にある高圧チャンバが常に存在することが確保され、連続的なポンピングが実現される。
【０１８５】
具体的には、プランジャ４５は、長手方向に延びる柱体で、水を加圧するためのものであり、図２に示す高圧洗浄機の上下方向に沿って配置され、プランジャ４５の長さ延在方向はそれぞれ、給水口４３０の開口方向及び吐水口４４０の開口方向に垂直であり、プランジャ４５の両端はそれぞれ、第１の高圧チャンバ４７及び第２の高圧チャンバ４８内に挿入され、プランジャ４５は、その長手方向に沿って第１の高圧チャンバ４７及び第２の高圧チャンバ４８内を往復移動するように駆動可能である。好ましくは、ポンプ本体４６は一体成形され、これにより、複数の部品を組み立てる組立問題が避けられ、かつ漏水しにくい。もちろん、他の実施形態では、ポンプ本体４６は、複数の部品を組み立てて形成されてもよい。
【０１８６】
第１の高圧チャンバ４７及び第２の高圧チャンバ４８はそれぞれ、給水口４３０及び吐水口４４０と連通している。具体的には、第１の高圧チャンバ４７は、給水分岐路４３１及び吐水分岐路４４１と連通し、第２の高圧チャンバ４８は、給水分岐路４３２及び吐水分岐路４４２と連通している。図５及び図６を引き続き参照すると、第１の高圧チャンバ４７は、給水口ａと、吐水口ｂと、高圧チャンバｃとを有し、給水口ａ及び吐水口ｂは、高圧チャンバｃと連通している。第１の高圧チャンバ４７には、給水口ａ、吐水口ｂ及び高圧チャンバｃを貫通して連通する通路ｄ（図示せず）がさらに設けられている。第２の高圧チャンバ４８は、第１の高圧チャンバ４７に対向する他端に設けられ、第２の高圧チャンバ４８と第１の高圧チャンバ４７は、ポンプ本体４６の中心に関して対称となっている。同様に、第２の高圧チャンバ４８は、給水口ａ’（図示せず）と、吐水口ｂ’（図示せず）と、高圧チャンバｃ’とを有し、給水口ａ’及び吐水口ｂ’は、高圧チャンバｃ’と連通している。
【０１８７】
高圧チャンバを設定する場合、ポンプの体積及び容積効率を考慮する必要がある。高圧チャンバが大きすぎると、ポンプの体積が大きくなるだけでなく、キャビティが多くなり、高圧チャンバの容積効率が小さくなり、吸水能力が低下し、対応する圧縮体積比が低下するため、高圧チャンバの大きさはちょうどプランジャの往復移動中の２つの限界位置を収容するのがよい。プランジャの２つの限界位置間の距離をプランジャのストロークとし、本実施例では、高圧チャンバｃ又はｃ’の開口径は、プランジャの直径よりも０．５ｍｍ〜２ｍｍほど大きく、高圧チャンバｃ又はｃ’のプランジャ往復移動方向の長さは、プランジャのストロークよりも０．５ｍｍ〜２ｍｍほど大きい。本実施例では、高圧チャンバｃ又はｃ’の開口径は、プランジャ４５の直径よりも１ｍｍほど大きく、高圧チャンバｃ又はｃ’のプランジャ往復移動方向の長さは、プランジャのストロークよりも１ｍｍほど大きい。
【０１８８】
好ましくは、プランジャ４５は、金属材料で製造され、プランジャ４５の両端は中空であり、密度のより小さい材料で充填されることにより、プランジャの質量が軽減され、プランジャ４５の往復移動時に機器全体の振動問題が低減されるとともに、プランジャを押す電力が低減され、エネルギー消費が低減される。本実施例では、充填材料は、プラスチックであるが、他の実施例では、樹脂又はアルミニウムなどの軽金属を用いてもよい。
【０１８９】
ポンプ４のストローク、直径及び往復移動の往復回数は、ポンプの流量を決定する。ポンプのパラメータ同士の関係を詳細に説明するために、本実施例では、プランジャの直径をＤ（単位：ｍｍ）とし、プランジャのストロークをＳ（単位：ｍｍ）とし、プランジャ移動の往復頻度をＮ（単位：ｒｐｍ）とし、ポンプの流量をＢ（単位：Ｌ／ｍｉｎ）とする。この場合、Ｂ＝Ｄ×Ｓ×Ｎ×ｋであり、ｋは、係数（定数）を表す。したがって、プランジャの往復移動の頻度が一定の場合（駆動モータの回転数が一定の場合）、所定の排出流量Ｂ（Ｌ／ｍｉｎ）を達成するためには、直径Ｄを大きくしてストロークＳを小さくするか、又は直径Ｄを小さくしてストロークＳを大きくする必要がある。
【０１９０】
しかしながら、プランジャ４５の直径が大きいほど、ポンプ４の幅が広くなり、プランジャのストロークが大きいほど、ポンプ４の長さが長くなり、所定の流量Ｂを満たす場合、プランジャの直径Ｄ及びストロークＳをどのように設定するかは、ポンプ４の体積を左右し、手持ち式高圧洗浄機の携帯性に直接影響を与える。また、直径が大きくなると、プランジャ４５の押し出し面積が大きくなり、所要の推力も大きくなり、推力を大きくするために、モータは、より大きな電力（より大きな体積のモータ）が必要とされ、反力を受けるポンプ本体が補強されなければならない。こうすると、手持ち式高圧洗浄機の幅が広くなり、コストも高くなってしまう。一方、ストロークＳが大きくなると、プランジャ４５の移動量が大きくなり、ポンプ４が長手方向に長くなってしまい、そして、ポンプの往復移動の頻度が一定の場合、ストロークＳが大きくなると、プランジャの移動速度も速くなり、より高い耐摩耗性を有する材料を使用する必要があるため、コスト増加につながる。
【０１９１】
本実施例では、手持ち式高圧洗浄機１の吐出圧力を一定の範囲内に変化させるために、モータ２の回転数を調整可能に設定し、すなわち、ポンプ４の往復移動の頻度Ｎは、一定の範囲内で変化する。具体的には、往復移動の頻度Ｎが大きくなると、ストロークが小さくなるため、プランジャ４５の直径を小さくする必要があり、プランジャの長さを長くしないと、プランジャ４５の寸法が小さくなり、ポンプ４の流量Ｂが小さくなる。一方、往復移動の頻度Ｎが小さくなると、ストロークが大きくなるため、プランジャ４５の寸法が不利に大きくなってしまい、頻度が小さくなると、ポンプの流量も対応的に小さくなり、低すぎる頻度は、振動の原因となるため、小さすぎる往復移動頻度は適切ではない。また、パラメータが一定のポンプ４では、その排出流量は、往復移動頻度Ｎの増加に伴って増加するのではなく、ある移動頻度よりも低い場合に移動頻度の増加に伴って増加する一方、ある移動頻度よりも高い場合には、排出流量は、著しく増加しないどころか、往復移動頻度Ｎの増加に伴って減少することになる。ポンプ４は、１つの往復移動周期内において一定の吸水時間を必要とし、すなわち、ポンプ４は、一定の自吸時間が必要なので、往復移動の周期において自吸時間を確保しないと、ポンプ４は、吸水時に高圧チャンバの容積を効果的に利用できず、周期が短くなると、吸水時間が足りなくなり、ポンプ４の高圧チャンバが水で満たされていないうちに排水し始めるため、流量が低くなるからである。
【０１９２】
このため、ポンプの寸法、コストや排出流量Ｂ（Ｌ／ｍｉｎ）などを考慮してプランジャの直径Ｄ（ｍｍ）、ストロークＳ（ｍｍ）及び往復移動の頻度Ｎ（ｒｐｍ）を適切に設定する必要がある。本開示の実施例では、発明者は鋭意研究を重ねた結果、体積及びコストを最小化しながら、ポンプの排出流量及び圧力が家庭用洗浄ニーズを満たすことを可能にするポンプの寸法パラメータを得た。ポンプの流量とポンプの体積との比をポンプの流量体積比とし、このパラメータは、ポンプのポンピング能力とポンプの体積との関係を反映しており、ポンプの流量が大きいほど、洗浄能力が強くなるため、当業者なら、ポンプの流量が大きいことを望むとともに、ポンプの体積が小さいほど、手持ち式高圧洗浄機の携帯性がより高くなるため、当業者なら、ポンプの体積が小さいことを望んでいるので、流量体積比というパラメータが大きいほど、有利になる。本開示の実施例では、発明者は鋭意研究を重ねた結果、プランジャ４５のストロークの範囲は３〜１６ｍｍであり、プランジャの直径の範囲は６〜１６ｍｍであり、ポンプの機械的強度や組み立てを考慮すると、プランジャの長さの選択可能な範囲は４５〜１００ｍｍであるため、ポンプの体積の範囲は６３０００ｍｍ＾３〜８５０００ｍｍ＾３であり、流量体積比の範囲は１．４〜１．９であるという知見を得た。本実施例では、プランジャの長さは５８ｍｍであり、プランジャ４５のストロークは５．４ｍｍであり、プランジャの直径は１２ｍｍであり、なし得る最大の流量体積比は１．９である。他の選択可能な実施例では、プランジャの長さは、５４ｍｍ、６０ｍｍ、６２ｍｍ、６８ｍｍ、９０ｍｍで、プランジャのストロークは、４ｍｍ、６ｍｍ、８ｍｍ、１０ｍｍ、１２ｍｍ、１４ｍｍで、プランジャの直径は、８ｍｍ、１０ｍｍ、１４ｍｍ、１６ｍｍであってもよい。
【０１９３】
図７〜図９に示すように、伝達機構３は、モータの回転運動をプランジャの往復運動に変換するための偏心機構３１を備える。本実施例では、プランジャ４５の長手方向に垂直な側部に、プランジャ４５は、偏心機構３１を取り付けるための接続部４５０を有し、偏心機構３１は、接続部４５０を介してプランジャ４５に接続され、接続部は、プランジャ４５の長さ延在方向の略中央に位置する。具体的には、接続部４５０は、内方へ凹む凹部であり、そして、接続部４５０は、プランジャ４５の中央に位置するが、もちろん、±５ｍｍの誤差が許容される。好ましくは、偏心機構３１は、接続軸受３１１を介して接続部４５０に接続される。接続形態としては、接続軸受３１１に限定されず、フラットフィット（中国語：扁方配合）、スプライン嵌合などの形態を含んでもよい。他の実施例では、接続部４５０は、プランジャ側部の突起として設けられてもよく、偏心機構は、前記突起に接続されてプランジャの往復移動を駆動する。具体的には、プランジャ側部の突起には、接続軸受が外嵌され、偏心機構は、接続軸受の外面と転がり摩擦によりプランジャの往復移動を駆動する。
【０１９４】
具体的には、減速機構３２は、歯車減速機構であり、より具体的には、歯車減速機構は、遊星歯車減速機構である。図９を参照すると、遊星歯車減速機構は、太陽歯車３２０と、遊星歯車３２２、３２４と、内歯車３２１とを備え、太陽歯車３２０は、モータ出力軸に固定的に設けられ、遊星歯車３２２、３２４は、同じ大きさの２つの歯車を有し、遊星歯車３２２、３２４はそれぞれ、太陽歯車３２０及び内歯車３２１に噛み合って、偏心機構３１に固定的に接続されている。モータ出力軸が回転すると、遊星歯車が内歯車周りに周回移動するように駆動される。これにより、偏心機構３１を回転移動させる。本実施例では、減速機構３２は、減速ケースをさらに備え、減速ケースのハーフハウジングは、ポンプ本体により一体成形され、これにより、減速ケースを別途に設計するのを避け、減速機構をポンプ本体に緊密に接続させるため、高圧洗浄機の前後方向の長さの増加が避けられ、高圧洗浄機が前後方向においてより短くなり、遊星歯車を用いて減速し、その太陽歯車はモータ出力軸に固定的に設けられ、減速比が一定の場合、減速機構の体積を最小化して高圧洗浄機をより小型で持ちやすくすることができる。
【０１９５】
他の実施例では、伝達機構は、減速機構を備えなくてもよく、すなわち、低速モータを直接用いて偏心機構を直接駆動する。
【０１９６】
上記実施例では、プランジャ４５はすべて、偏心機構３１に接続され、偏心機構３１の偏心回転移動により、プランジャ４５がその長手方向に直線往復移動するように駆動される。もちろん、本開示の実施例では、プランジャ４５が偏心機構３１に接続されることに限定されず、プランジャ４５を他の機構に接続してその長手方向の直線往復移動を実現することもできる。
【０１９７】
図１０は、別の実施例を示している。伝達機構は具体的に、クランクリンク機構３３を備え、プランジャ４５は、クランクリンク機構３３に接続されている。クランクリンク機構３３は、互いに接続されているリンク３３１及びクランク３３２を備える。リンク３３１の一端は、クランク３３２に接続され、リンク３３１の他端は、プランジャ４５に接続されている。クランク３３２の一端は、リンク３３１に接続され、クランク３３２の他端は、伝達機構３に接続されている。リンク３３１とクランク３３２との接続部が回動支点３３３を構成することで、リンク３３１とクランク３３２とは回動支点３３３周りに相対回動可能になる。図１０に示すように、当該クランクリンク機構３３は、モータの回転運動をプランジャ４５の長手方向の往復運動に変換することができる。
【０１９８】
ポンプ及びそれとセットになる回転−往復変換構造の入力回転数範囲が一定の場合、出力回転数が当該入力回転数範囲内である低速モータを直接用いる場合に比べて、減速機構と高速小型モータとの合理的な組み合わせにより、機能部材の重量及び体積を顕著に低減することができる。本実施例では、モータ２のアイドリング回転数は、１００００ｒｐｍ又は１２０００ｒｐｍ又は１５０００ｒｐｍ又は２００００ｒｐｍ以上であり、伝達機構３の減速機構のアイドリング出力回転数は、３０００ｒｐｍ又は２５００ｒｐｍ又は２２００ｒｐｍ又は２１００ｒｐｍ又は２０００ｒｐｍ以下である。伝達機構３の減速機構の減速比は、１２：１〜３：１、例えば約１０：１、８：１、７：１、６：１、５：１、４：１などである。
【０１９９】
低速モータを直接用いてポンプのポンピングを駆動する手持ち式高圧洗浄機に比べて、高速小型モータと歯車減速機構との組み合わせによりシングルプランジャポンプのポンピングを駆動する手持ち式高圧洗浄機では、そのモータ及びポンプの重量が効果的に最適化されるため、手持ち式高圧洗浄機全体の重量が低減され、手持ち式高圧洗浄機１の携帯性が向上される。具体的には、機能部材の重量は、約８００ｇであり、モータの定格電力は、１３５Ｗ〜２００Ｗであり、モータは、電池パックの電源によって駆動される。電池パックの数は、１つである。電池パックの定格電圧が１８Ｖで、定格容量が２Ａｈで、電池パックの重量が約３６０ｇであるため、本開示の実施例では、手持ち式高圧洗浄機全体の重量の範囲は、１．５ｋｇ〜２．５ｋｇである。この機器全体の重量の範囲内において、当該手持ち式高圧洗浄機の外部に出力する作動水圧が、０．２ＭＰａ〜６ＭＰａであり、外部に出力する作動水流量が、１．５Ｌ／Ｍｉｎ〜８Ｌ／Ｍｉｎであり、この場合、手持ち式高圧洗浄機が開状態にあるとき、吐水口が水流を外部に連続的に吐出する時間は、１０〜６０ｍｉｎである。一実施形態では、手持ち式高圧洗浄機の外部に出力する作動水圧が、２．１ＭＰａであり、外部に出力する作動水流量が、２．５Ｌ／Ｍｉｎであり、電池パックの数が１つであり、電池パックの定格電圧が１８Ｖであり、定格容量が２Ａｈであり、この場合、手持ち式高圧洗浄機が開状態にあるとき、吐水口が水流を外部に連続的に吐出する時間は１０ｍｉｎであり、手持ち式高圧洗浄機全体の重量は、１．７ｋｇであってもよい。もちろん、手持ち式高圧洗浄機の外部に出力する作動水圧は、０．３ＭＰａ、０．４ＭＰａ、０．５ＭＰａ、０．８ＭＰａ、１ＭＰａ、１．２ＭＰａ、１．４ＭＰａ、１．５ＭＰａ、１．８ＭＰａ、２ＭＰａ、２．２ＭＰａ、２．４ＭＰａ、２．５ＭＰａ、２．６ＭＰａ、２．８ＭＰａ、３．０ＭＰａ、３．３ＭＰａ、３．５ＭＰａ、３．６ＭＰａ、３．８ＭＰａ、４ＭＰａ、４．５ＭＰａ、５ＭＰａ、５．５ＭＰａ、６ＭＰａなどであってもよく、手持ち式高圧洗浄機の外部に出力する作動水流量は、１．５Ｌ／Ｍｉｎ、１．６Ｌ／Ｍｉｎ、１．７Ｌ／Ｍｉｎ、１．８Ｌ／Ｍｉｎ、１．９Ｌ／Ｍｉｎ、２Ｌ／Ｍｉｎ、２．２Ｌ／Ｍｉｎ、２．４Ｌ／Ｍｉｎ、２．５Ｌ／Ｍｉｎ、２．６Ｌ／Ｍｉｎ、２．８Ｌ／Ｍｉｎ、３．０Ｌ／Ｍｉｎ、３．２Ｌ／Ｍｉｎ、３．３Ｌ／Ｍｉｎ、３．４Ｌ／Ｍｉｎ、３．５Ｌ／Ｍｉｎ、３．８Ｌ／Ｍｉｎ、４Ｌ／Ｍｉｎ、４．５Ｌ／Ｍｉｎ、５Ｌ／Ｍｉｎ、５．５Ｌ／Ｍｉｎ、６Ｌ／Ｍｉｎ、６．５Ｌ／Ｍｉｎ、７Ｌ／Ｍｉｎ、７．５Ｌ／Ｍｉｎなどであってもよい。
【０２００】
別の実施可能な形態では、前記ポンプは、３プランジャポンプ（図示せず）であり、３プランジャポンプ（図示せず）は、ポンプ本体と、ポンプ本体内に設けられる３つのプランジャとを有し、３つのプランジャは、互いに１２０度の位相差をもって往復移動する。高速小型モータで３プランジャポンプを駆動することにより、手持ち式高圧洗浄機の重量を最適化する。モータの回転運動は、伝達機構によってプランジャの往復運動に変換される。上記実施例におけるシングルプランジャポンプの手持ち式高圧洗浄機に比べて、３プランジャポンプでは、そのポンピング効率が大幅に向上されるが、もちろん、３つのプランジャが往復移動する場合、３つのプランジャとポンプ本体との間の摺動抵抗が大きく、エネルギー消費が大きくなるため、比較的大きな定格電力のモータによって３つのプランジャの摺動抵抗を克服する必要がある。体積が大きくて重い低速モータを直接用いる場合に比べて、本開示の実施例では、減速機構と高速小型モータとの合理的な組み合わせにより、機能部材の重量及び体積を顕著に低減することができる。本実施例では、当該伝達機構は、歯車減速機構と、歯車減速機構とポンプ本体との間に設けられる斜板機構とを備える。モータ２のアイドリング回転数は、１００００ｒｐｍ又は１２０００ｒｐｍ又は１５０００ｒｐｍ又は２００００ｒｐｍ以上であり、伝達機構３の減速機構のアイドリング出力回転数は、３０００ｒｐｍ又は２５００ｒｐｍ又は２２００ｒｐｍ又は２１００ｒｐｍ又は２０００ｒｐｍ以下である。伝達機構３の減速機構の減速比は、１２：１〜３：１、例えば約１０：１、８：１、７：１、６：１、５：１、４：１などである。斜板機構は、固定接続構造を駆動してプランジャをポンプ本体内で往復移動させる。このような設計では、重い低速大型モータの代わりに軽い高速小型モータ及び歯車減速機構を用いることにより、機能部材の重量を低減する。
【０２０１】
具体的には、この実施例では、大きな電力のモータを用いて連続的にポンピングするように３プランジャポンプを駆動する必要があるため、モータの定格電力は、３００Ｗ〜５００Ｗであり、機能部材の重量はわずかに増加し、２５００ｇ以下であり、単一の電池パックの重量は、１５００ｇ以下である。手持ち式高圧洗浄機全体の重量の範囲は、３ｋｇ〜５ｋｇである。この実施例では、この機器全体の重量の範囲内において、当該手持ち式高圧洗浄機の外部に出力する作動水圧は、３ＭＰａ〜１０ＭＰａであり、外部に出力する作動水流量は、３Ｌ／Ｍｉｎ〜８Ｌ／Ｍｉｎであり、この場合、手持ち式高圧洗浄機が開状態にあるとき、吐水口が外部に水流を連続的に吐出する時間は、１０〜１２０ｍｉｎであり、好ましくは、モータの定格電力は、３６０Ｗであり、機能部材の重量は、１３００ｇである。電池パックの数は、２つであり、各電池パックの定格電圧は、１８Ｖであり、定格容量は、２Ａｈであり、２つの電池パックは、直列に接続され、共同で放電してモータに駆動電源を提供する。２つの電池パックの総重量は、７５０ｇ以下であり、手持ち式高圧洗浄機全体の重量は、３ｋｇである。
【０２０２】
一実施形態では、３プランジャポンプの手持ち式高圧洗浄機の外部に出力する作動水圧は、３．３ＭＰａであり、外部に出力する作動水流量は、４Ｌ／Ｍｉｎである場合、手持ち式高圧洗浄機が開状態にあるとき、吐水口が外部に水流を連続的に吐出する時間は、？？ｍｉｎである。もちろん、手持ち式高圧洗浄機の外部に出力する作動水圧は、３ＭＰａ、３．２ＭＰａ、３．４ＭＰａ、３．６ＭＰａ、３．８ＭＰａ、４ＭＰａ、４．２ＭＰａ、４．４ＭＰａ、４．６ＭＰａ、４．８ＭＰａ、５ＭＰａ、５．５ＭＰａ、５．８ＭＰａ、６ＭＰａ、６．２ＭＰａ、６．４ＭＰａ、６．６ＭＰａ、６．８ＭＰａ、７ＭＰａ、７．５ＭＰａ、７．８ＭＰａ、８ＭＰａ、７ＭＰａ、８．５ＭＰａ、９ＭＰａ、９．５ＭＰａなどであってもよく、手持ち式高圧洗浄機の外部に出力する作動水流量は、３．３Ｌ／Ｍｉｎ、３．４Ｌ／Ｍｉｎ、３．６Ｌ／Ｍｉｎ、３．８Ｌ／Ｍｉｎ、３．９Ｌ／Ｍｉｎ、４．１Ｌ／Ｍｉｎ、４．２Ｌ／Ｍｉｎ、４．４Ｌ／Ｍｉｎ、４．５Ｌ／Ｍｉｎ、４．６Ｌ／Ｍｉｎ、４．８Ｌ／Ｍｉｎ、４．９Ｌ／Ｍｉｎ、５Ｌ／Ｍｉｎ、５．５Ｌ／Ｍｉｎ、６Ｌ／Ｍｉｎ、６．５Ｌ／Ｍｉｎ、６．８Ｌ／Ｍｉｎ、７Ｌ／Ｍｉｎ、７．５Ｌ／Ｍｉｎ、７．８Ｌ／Ｍｉｎなどであってもよい。
【０２０３】
なお、シングルプランジャポンプの手持ち式高圧洗浄機は、０．２ＭＰａ〜６ＭＰａの作動水圧、１．５Ｌ／Ｍｉｎ〜３．５Ｌ／Ｍｉｎの作動水流量しか外部に出力できないわけではない。上記シングルプランジャポンプに係る実施例における作動水圧及び作動水流量は、機器全体の重量の範囲が１．７ｋｇ〜２．５ｋｇの場合に最適なパラメータ範囲である。同様に、３プランジャポンプの手持ち式高圧洗浄機に係る実施例における作動水圧及び作動水流量は、機器全体の重量の範囲が３ｋｇ〜５ｋｇの場合に最適なパラメータ範囲である。
【０２０４】
高圧洗浄機の有効洗浄効率ｋは、作動水圧Ｐに作動水流量Ｑをかけたものに等しい。有効洗浄効率で高圧洗浄機の洗浄效果を評価することが一般的であり、有効洗浄効率が大きいほど、洗浄效果がよくなる。しかしながら、同一の有效洗浄効率の場合、作動水圧は、作動水流量に反比例になり、洗浄效果を向上させるために、当業者は通常、両者を同時に大きくしたがるが、両者を同時に大きくしようとすれば、モータの電力を大きくする必要があり、機器全体の重量が大きくなり、電池パックの航続時間も低下するため、本開示の実施例に求められる携帯性を有する手持ち式高圧洗浄機の理念に反する。本開示の実施例では、発明者は鋭意研究を重ねた結果、手持ち式高圧洗浄機１の洗浄効果は、作動水圧及び作動水流量自体の数値範囲だけでなく、異なる作動水圧において作動水圧と作動水流量との取り合わせを考慮する必要もあることを発見した。
【０２０５】
具体的には、発明者は、手持ち式高圧洗浄機１の外部に出力する作動水圧が大きく、外部に出力する作動水流量が小さすぎる場合、ポンプ４から外部に吐出された水流は空気と接触して霧化されるため、手持ち式高圧洗浄機１が家庭や屋外用具を洗浄するのに用いられる場合、霧化された水蒸気は洗浄作業を全く行うことができず、このときの手持ち式高圧洗浄機１は、噴霧器となる一方、手持ち式高圧洗浄機１の外部に出力する作動水圧が小さすぎて、外部に出力する作動水流量が大きすぎる場合、当該作動水圧は、目標物体を洗浄するのに必要とされる最低水圧値に達することがあるが、作動水圧値が小さく、洗浄能力が低いため、汚れを洗い切れないか、又は汚れを洗い切れても、目標物体の表面からの汚れの剥離に要する時間が長く、電池パックの航続時間が大いに消費されてしまい、そして、作動水圧と作動水流量との取り合わせが適切ではなく、作動水流量が当該作動水圧に対して所要の水量をはるかに超えるため、洗浄流体の無駄になるということを発見した。供給された洗浄流体が流水（水道水）からのものではなく、タンク内に収容される洗浄流体である場合、タンク内の洗浄流体が短時間で消費されてしまう。よって、手持ち式高圧洗浄機の洗浄効果は、作動水圧と作動水流量との合理的な取り合わせを考慮する必要がある。
【０２０６】
さらに、本開示の実施例では、モータ２は、電池パック９によってエネルギーを供給されるが、電池パック９からモータ２に供給される電気エネルギーは限られているので、発明者は、手持ち式高圧洗浄機１の洗浄効果は、作動水圧と作動水流量との合理的な取り合わせを考慮する同時に、異なる段階の作動水圧及び電池パックの航続時間に基づいて適切な作動水流量を選択する必要もあるということを発見した。換言すれば、作動水圧が比較的高い場合、エネルギー消費自体がずいぶん大きいため、電池パック９のエネルギーが限られていることを考えると、作動水流量を制御し、比較的高い作動水圧の下で、対応する作動水流量が洗浄機の連続作動時間に影響を与えないことを確保した上で、よい洗浄効果も確保する必要がある。例えば、作動水圧が９ＭＰａの場合、それに対応する最適な取り合わせの作動水流量は、５．１Ｌ／Ｍｉｎ、５．２Ｌ／Ｍｉｎ、５．４Ｌ／Ｍｉｎ、５．５Ｌ／Ｍｉｎ、５．６Ｌ／Ｍｉｎ、６Ｌ／Ｍｉｎ、６．５Ｌ／Ｍｉｎ、７Ｌ／Ｍｉｎ、８Ｌ／Ｍｉｎであってもよい。また、高い水圧の水流を吐出するために、機能部材の電力消費が大きくなり、洗浄機の連続作動時間が影響されたので、洗浄機の連続作動時間を延ばすためには、比較的小さい作動水流量で十分な洗浄効果を達成する必要がある。よって、比較的高い作動水圧の場合、作動水流量は、５．４Ｌ／Ｍｉｎを選択することができる。作動水圧が比較的低い場合、作動水流量への制限が低減してもよく、よい洗浄効果を達成できる場合、いくつかの最適な取り合わせの作動水流量から大きい排出量を選択したとしても、電池パックの航続時間にほとんど影響がないからである。例えば、作動水圧が３ＭＰａの場合、それに対応する最適な取り合わせの作動水流量は、２．８Ｌ／Ｍｉｎ又は３Ｌ／Ｍｉｎ又は３．５Ｌ／Ｍｉｎ又は４Ｌ／Ｍｉｎであってもよく、比較的小さい作動水圧の場合、作動水流量は、４Ｌ／Ｍｉｎを選択することができる。この作動水圧の場合、対応する作動水流量が汚れを洗い切れるとともに、電池パック９のエネルギー消費にあまり影響を与えないことを確保できるからである。
【０２０７】
なお、本開示の実施例の手持ち式高圧洗浄機１に求められるのは、携帯性を有し、機器全体を手持ちして操作できることである。現在の高圧洗浄機の機能は比較的単一であり、一部の家庭用具又は屋外用具を洗浄する以外、他の用途が殆どない。日常生活では、ユーザが水流で洗浄する必要があるものはたくさんあるため、同一の設備で様々な異なる種類の洗浄機能を実現できるというニーズが生じる。このニーズに関し、発明者は、普段、ペットにシャワーをかけるとき、人々がシャワーを浴びるときに使用するシャワーヘッドでペットを洗浄するか、又はペットをペットショップに送って洗浄するため、非常に不便であることを発見し、また、発明者は、普段、花・植物などに水をやるとき、別のツールで操作する必要もあることも発見した。しかしながら、これら異なる機能を満たすツールは、ユーザの使用空間を占有するだけでなく、ユーザにいろいろな不便ももたらした。機能多様化の必要性に応じて、本開示の実施例に係る手持ち式高圧洗浄機は、スプレー・シャワーの洗浄状況及び家庭や屋外用具の洗浄状況を同一の設備に集中するのに非常に適している。具体的には、本開示の実施例に係る手持ち式高圧洗浄機は、洗浄モードと、スプレー・シャワーモードとを有し、洗浄モードは主に、家庭や室外用具、例えば窓、ベランダ、レンジフード、ガレージ、家の壁にある苔、自転車、ガーデンツール、プール、テラスフェンス、屋外寝椅子、水泳用具上の泥・砂、マウンテンバイク、カヤック、キャンプ用品などを洗浄するのに用いられる一方、スプレー・シャワーモードは主に、花に水をやったり、シャワーを浴びたりし、例えば花・植物をスプレーしたり、花木に水をやったり、動物にシャワーをかけたり、野外でシャワーを浴びたりすることなどに用いられる。洗浄状況が異なると、手持ち式高圧洗浄機の外部に出力する作動水圧及び作動水流量も異なる。例えば、手持ち式高圧洗浄機を用いて花・植物をスプレー・シャワーする場合、作動水圧が高すぎると、花を損傷するが、手持ち式高圧洗浄機１を用いて、動物にシャワーをかけたり、人々が野外でシャワーを浴びたりする場合、作動水圧が高すぎると、水流の衝撃力は、動物や人に不快感を与える。そのため、発明者は、手持ち式高圧洗浄機の洗浄効果を判断するとき、異なる状況及び異なる状況における使用体験をさらに考慮する必要があると考えた。よって、作動水圧の範囲、作動水流量の範囲及び作動水圧と作動水流量との取り合わせは、異なる洗浄状況を考慮する必要もある。
【０２０８】
上記のことに鑑みて、手持ち式高圧洗浄機１がスプレー・シャワーモードで動作する場合、その外部に吐出する作動水圧は、０．２ＭＰａ以上０．６ＭＰａ未満であり、その外部に吐出する作動水流量は、１．５Ｌ／Ｍｉｎ以上８Ｌ／Ｍｉｎ以下であるため、スプレー・シャワーモードの場合、作動水圧は、０．３ＭＰａ、０．４ＭＰａ、０．５ＭＰａ、０．５５ＭＰａなどであってもよく、その外部に吐出する作動水流量は、１．５Ｌ／Ｍｉｎ、１．６Ｌ／Ｍｉｎ、１．８Ｌ／Ｍｉｎ、２Ｌ／Ｍｉｎ、２．６Ｌ／Ｍｉｎ、３Ｌ／Ｍｉｎ、３．６Ｌ／Ｍｉｎ、３．８Ｌ／Ｍｉｎ、４Ｌ／Ｍｉｎ、４．５Ｌ／Ｍｉｎ、５Ｌ／Ｍｉｎ、５．５Ｌ／Ｍｉｎ、６Ｌ／Ｍｉｎ、６．５Ｌ／Ｍｉｎ、７Ｌ／Ｍｉｎ、８Ｌ／Ｍｉｎなどであってもよい。好ましくは、外部に吐出する作動水圧は、０．２ＭＰａであり、外部に吐出する作動水流量は、３．５Ｌ／Ｍｉｎであり、このとき、花や草をスプレー・シャワーすることができる。
【０２０９】
手持ち式高圧洗浄機１が洗浄モードで動作する場合、その外部に吐出する作動水圧は、０．６ＭＰａ以上１０ＭＰａ以下であり、その外部に吐出する作動水流量は、１．５Ｌ／Ｍｉｎ以上８Ｌ／Ｍｉｎ以下であるため、洗浄モードの場合、作動水圧は、０．６５ＭＰａ、０．６９ＭＰａ、０．７ＭＰａ、０．８ＭＰａ、０．９ＭＰａ、１ＭＰａ、１．１ＭＰａ、１．２ＭＰａ、１．３ＭＰａ、１．４ＭＰａ、１．５ＭＰａ、１．８ＭＰａ、２ＭＰａ、２．２ＭＰａ、３ＭＰａ、３．５ＭＰａ、４ＭＰａ、４．５ＭＰａ、５ＭＰａ、５．５ＭＰａ、６ＭＰａ、７ＭＰａ、８ＭＰａ、８．５ＭＰａ、９ＭＰａなどであってもよく、その外部に吐出する作動水流量は、１．６Ｌ／Ｍｉｎ、１．７Ｌ／Ｍｉｎ、１．８Ｌ／Ｍｉｎ、１．９Ｌ／Ｍｉｎ、２Ｌ／Ｍｉｎ、２．５Ｌ／Ｍｉｎ、３Ｌ／Ｍｉｎ、３．５Ｌ／Ｍｉｎ、４Ｌ／Ｍｉｎ、４．５Ｌ／Ｍｉｎ、５Ｌ／Ｍｉｎ、５．５Ｌ／Ｍｉｎ、６Ｌ／Ｍｉｎ、６．５Ｌ／Ｍｉｎ、７Ｌ／Ｍｉｎ、７．５Ｌ／Ｍｉｎ、７．８Ｌ／Ｍｉｎなどであってもよい。
【０２１０】
上記発明者の研究からすれば、手持ち式高圧洗浄機１では、作動水圧と作動水流量との取り合わせは、異なる水圧に影響されるだけでなく、異なる作業状況にも影響される。
【０２１１】
したがって、本開示の実施例では、携帯性を有する手持ち式高圧洗浄機１について、作動水圧の範囲が異なると、作動水圧と作動水流量との取り合わせの考慮要因も異なり、また、作業状況が異なると、作動水圧と作動水流量との取り合わせの考慮要因も異なる。作動水圧の範囲に応じて、異なる作動水圧と作動水流量との取り合わせを提供する。
【０２１２】
具体的には、外部に出力する作動水圧が０．２ＭＰａ以上０．６ＭＰａ未満の手持ち式高圧洗浄機では、その外部に出力する作動水流量に対する外部に出力する作動水圧の比は、０．０２５〜０．１８であり、好ましくは、０．０５〜０．１である。すなわち、外部に出力する作動水流量に対する外部に出力する作動水圧の比は、０．０３、０．０３３、０．０３５、０．０４、０．０４３、０．０４８、０．０５、０．０５３、０．０６、０．０７、０．０８、０．０９、０．１、０．１１、０．１２、０．１３、０．１４、０．１５、０．１６、０．１７などであってもよい。例えば、手持ち式高圧洗浄機の外部に出力する作動水圧が０．３ＭＰａであり、手持ち式高圧洗浄機の外部に出力する作動水流量が４Ｌ／Ｍｉｎである場合、作動水流量に対する作動水圧の比は、０．０７５である。当該作動水圧は主に、花に水をやったりスプレー・シャワーしたりするのに用いられるため、このような作業状況では、高い圧力を必要としないが、十分な作動水流量が必要である。
【０２１３】
外部に出力する作動水圧が０．６ＭＰａ以上１０ＭＰａ以下の手持ち式高圧洗浄機では、その外部に出力する作動水流量に対する外部に出力する作動水圧の比は、０．２５〜２．５であり、すなわち、外部に出力する作動水流量に対する外部に出力する作動水圧の比は、０．３、０．４、０．５、０．６、０．７、０．８、０．９、１．０、１．１、１．２５、１．３、１．３５、１．４、１．４５、１．５、１．５５、１．６、１．６５、１．７、１．７５、１．８、１．９、２．０、２．１、２．２、２．３、２．４などであってもよく、好ましくは、０．４〜１．７５である。例えば、手持ち式高圧洗浄機の外部に出力する作動水圧が０．８ＭＰａであり、手持ち式高圧洗浄機の外部に出力する作動水流量が２Ｌ／Ｍｉｎである場合、作動水流量に対する作動水圧の比は、０．４である。当該作動水圧及び作動水流量は、自転車のチェーンを洗浄するのに用いることができ、このような作業状況では、チェーンの潤滑油や軸受の損傷を避けるために、高い圧力を必要としない。手持ち式高圧洗浄機の外部に出力する作動水圧が５ＭＰａであり、手持ち式高圧洗浄機の外部に出力する作動水流量が４．２Ｌ／Ｍｉｎである場合、作動水流量に対する作動水圧の比は、１．１９であり、当該作動水圧及び作動水流量は、自動車を洗浄するのに用いることができる。
【０２１４】
なお、上記作動水圧は、手持ち式高圧洗浄機１の具体的な性能要求やコストなどに応じて、所定の作動水圧値に設定してもよいし、複数の速度段値に設定してもよい。複数の速度段値に設定する場合、ノブ又はボタンで制御することにより、対応する速度段値に調整することができる。
【０２１５】
本開示の別の実施例では、手持ち式高圧洗浄機１は、交流電源（図示せず）で給電することもできる。電気エネルギーは、商用電源から機能部材に供給され、電気エネルギー供給の上で、電力量に制限がないため、手持ち式高圧洗浄機の連続作動時間に制限がなくなるが、交流給電は、ある状況、例えば戸外洗浄状況で、手持ち式高圧洗浄機の携帯性を損することになってしまう。
【０２１６】
図１及び２に示すように、手持ち式高圧洗浄機１は、一種類又は多種類の吐出口１１１１が設けられた吐出ヘッド１１０をさらに備える。前記一種類又は多種類の吐出口は、対応する作動水圧及び作動水流量と協働して異なるタイプの水流を外部に吐出することができる。この実施例では、手持ち式高圧洗浄機１は、吐出ヘッド１１０と本体部１０８との間に接続される銃身アタッチメントをさらに備え、当該銃身アタッチメントは、ショートガンアタッチメント１１６、ロングガンアタッチメント（図示せず）及び伸縮式銃身アタッチメント（図示せず）のうちの１つ又はそれらの組み合わせを含む。本実施例では、本体部１０８は、ショートガンアタッチメント１１６に接続され、ショートガンアタッチメント１１６の一端１１６１は、本体部１０８と連通し、吐水部は、銃身アタッチメントの他端１１６２に形成され、水流は、ポンプ４の加圧により本体部１０８から銃身アタッチメントの他端１１６２に流れ、吐出ヘッド１１０を介して外部に吐出することができる。
【０２１７】
図１及び図２に示すように、起動スイッチ５は、ハンドル１０６近傍に設けられ、具体的にはトリガであり、外部の水源のポンプ４内への流入とモータ２の回転をトリガするためのものである。この実施例では、高圧洗浄機１は、制御基板６をさらに備える。制御基板６はそれぞれ、電池パック９、モータ２及び起動スイッチ５に電気的に接続される。制御基板６には、電池パック９の給電、モータ２の回転有無及びモータ２の回転数の変化を制御するための制御プログラムが内蔵されている。この実施例では、制御基板６は、ハンドル１０６と電池パック９との接続部の上方に位置して設けられている。制御基板６の位置は、高圧洗浄機１の吐出ヘッド１１０から離れた位置にあるため、吐出ヘッド１１０の水しぶきに起因して制御基板６が濡れることが効果的に防止される。
【０２１８】
手持ち式高圧洗浄機１は、モータ２の回転数を調整する調速部材７をさらに備える。調速部材７は、制御部６に電気的に接続され、制御部６は、調速部材７の調速指示に従ってモータ２の回転数の変化を制御する。この実施例では、制御部６は、モータ２のデューティ比を調整することによってモータ２の回転数を調整し、すなわち、ＰＷＭ調整回路によってモータの回転数を調整する。モータ２の回転数が変化すると、ポンプ４の運動周期が変化して、高圧洗浄機１の吐水圧力が変化する。他の実施例では、調速部材は、ポンプの出口断面の面積を制御することによりポンプの吐水圧力を調整してもよい。
【０２１９】
調速部材７は、片手でハンドル１０６を把持すると、当該片手の１本の指が調速部材７に触れることができるように設けられている。図１を引き続き参照すると、調速部材７は、本体部１０８に設けられ、具体的には本体部１０８の頂部において本体部１０８とハンドル１０６との接続部に位置する。他の実施例では、調速部材７は、ハンドル１０６に設けてもよい。調速部材７の位置配置は、ユーザが高圧洗浄機１を使用するときに片手操作を実現するのに役立つ。ユーザが手持ち式高圧洗浄機１を操作するうちに、手持ち式高圧洗浄機１の圧力を調整する必要がある場合、ユーザは、親指を本体部１０８の方向に伸ばして調速部材７に接触して押圧すればよい。他の４本の指は、ハンドル１０６の他方側から挿入して起動スイッチ５に接触し、手のひら部位はぴったりとハンドル１０６を握る。好ましくは、調速部材７は、キースイッチである。調速部材７を押圧すると、制御部６がモータ２に調整信号を送信するようにトリガすることができる。
【０２２０】
図１７〜２０に示すように、当該実施例は、吐出ヘッドケース１１２と、吐出ヘッドケースに接続されるノズル１１１とを有する回転防止吐出ヘッド１１０を提供している。ノズル１１１は、異なるタイプの水流がノズル１１１から外部に吐出されるように、動作可能に回転軸（図示せず）周りに吐出ヘッドケース１１２に対して回転可能である。本開示の実施例では、当該回転軸の延在方向を軸方向とする。具体的には、ノズル１１１は、円周方向に配置された複数の異なる吐水口１１１１を有し、ノズルケース１１２内に水流通路１１２１を有し、複数の異なる吐水口１１１１は、水流通路１１２１と択一的に連通し、ノズル１１１は、ノズルケース１１２に対して回転し、これにより異なる吐水口１１１１に切り替えられて異なるタイプの水流を吐出する。ここで、異なるタイプとは、異なる形状の水流と理解してもよく、異なる圧力の水流などと理解してもよい。水流は、ポンプ４の加圧によりハウジング１０内から吐出ヘッドケース１１２に流れ、最後はノズル１１１から外部に吐出することができる。従来の高圧洗浄機１では、作業者は、異なるタイプの水流を切り替えようとすると、ハウジング１０に対する吐出ヘッドケース１１２の回動を一方の手で規制し、他方の手でノズル１１１を回転させればこそ、異なるタイプの水流を切り替えることができる。この過程で、高圧洗浄機１の落下を防止するために、通常、高圧洗浄機１の本体を作業者の体に当接させて支持する必要もある。よって、使用中に、操作が面倒であるだけでなく、ユーザの体験性もよくない。
【０２２１】
操作の快適性を向上させるために、本実施形態は、水流のタイプを片手で切替可能な高圧洗浄機１を提供している。操作中に、水流のタイプを切り替えようとするとき、ハンドル１０６を把持する手の位置を変える必要がなく、他方の手でノズル１１１を回転させるだけで、水流のタイプを切り替えることができる。具体的には、図１７〜１９に示すように、吐出ヘッドケース１１２は、基部１１２２と、基部１１２２の一端に位置し、ハウジング１０の吐水部１０９，１０９’，１０９’’と嵌合可能な嵌合部１１２３とを有する。嵌合部１１２３が吐水部１０９，１０９’，１０９’’と嵌合した後、嵌合部１１２３は、吐水部１０９に対して回転不可能であり、水流は、吐水部１０９，１０９’，１０９’’から吐出ヘッドケース１１２に流れ、ノズル１１１から外部に吐出される。吐水部１０９，１０９’，１０９’’及び嵌合部１１２３のうちの一方は、回転防止プラグとして配置され、吐水部１０９，１０９’，１０９’’及び嵌合部１１２３のうちの他方は、回転防止プラグに回転不可能に接続された回転防止ソケットとして配置される。本実施形態では、嵌合部１１２３は、外部に突出する回転防止プラグの形態に設計され、吐水部１０９，１０９’，１０９’’は、内方へ凹んで回転防止プラグと嵌合する回転防止ソケットの形態に設計される。このように設計することにより、ノズルケース１１２は、吐水部１０９，１０９’，１０９’’に回転不可能に接続され、異なる吐水のタイプを切り替えるためにノズル１１を回転させる必要があるとき、ノズルケース１１２を固定することなく、片手でノズル１１１を回転させるだけでよいため、操作が簡単で便利である。
【０２２２】
図１８及び図１９に示すように、回転防止プラグは、凸となる非円柱体構造であり、回転防止ソケットは、非円柱体溝であり、嵌合部１１２３が吐水部１０９，１０９’，１０９’’と嵌合するとき、非円柱体の接触面と回転中心との距離が異なるため、嵌合部１１２３と吐水部１０９，１０９’，１０９’’とは相対回転できない。具体的には、回転防止プラグは、フラット構造であり、回転防止ソケットは、当該フラット構造に適合するフラット溝である。フラット構造は、１８０度対称なので、双方向の取付を実現することができる。換言すれば、現在の取付方向を１８０度回転させても、同様に回転防止プラグを回転防止ソケットに接続することができる。他の実施形態では、回転防止プラグと回転防止ソケットとが複数の方向から嵌合可能なように、回転防止プラグを９０度対称にしてもよく、又は、回転防止プラグを花びらの形状にし、回転防止ソケットをそれに適合する花びらの溝状にしてもよい。もちろん、他の実施形態では、回転防止プラグを他の形状、例えば多角柱に設計し、回転防止ソケットは上記多角柱に嵌合する溝を有することにしてもよい。
【０２２３】
本開示の実施例の一実施形態として、図７に示すように、吐水部１０９は、本体部１０８の自由端１０８１に形成されている。水流は、ポンプ４の加圧により当該自由端１０８１から吐出ヘッドケース１１２に流れ、ノズル１１１における対応する吐水口１１１１を介して外部に吐出することができる。当該自由端１０８１は、高圧洗浄機１の本体部１０８における水流を吐出するポートとして理解されることができる。上記吐出ヘッドケース１１２の嵌合部１１２３と本体部１０８の水流を吐出するポートとが回転不可能に嵌合されている。
【０２２４】
本開示の実施例の別の実施形態として、異なる圧力の水流を提供し、異なる領域の対象物を洗浄するために、ハウジング１０は、吐出ヘッド１１０と本体部１０８との間に接続される銃身アタッチメントをさらに備え、当該銃身アタッチメントは、ロングガンアタッチメント、ショートガンアタッチメント及び伸縮式銃身アタッチメントのうちの１つ又は複数の組み合わせを含む。図２１に示すように、銃身アタッチメントは、延長ガン１１３である。延長ガン１１３の一端１１３１は、本体部１０８と連通し、吐水部１０９’は、延長ガン１１３の他端１１３２に形成され、水流は、ポンプ４の加圧により本体部１０８から延長ガン１１３の他端１１３２に流れ、吐出ヘッド１１０を介して外部に吐出することができる。
【０２２５】
本開示の実施例の更なる実施形態として、上記２つの実施形態に記載されたように、本開示の実施例の高圧洗浄機１は、銃身アタッチメントを備えなく、吐出ヘッド１１０が本体部１０８に直接接続することにしてもよい。もちろん、高圧洗浄機１は、銃身アタッチメントを備えて、吐出ヘッド１１０を銃身アタッチメントを介して本体部１０８と連通接続することにしてもよい。高圧洗浄機１の本体部１０８及び／又は銃身アタッチメントの汎用性を確保するために、図１８及び図２０に示すように、高圧洗浄機１は、ハウジング１０と吐出ヘッド１１０との間に接続されるショートガンアタッチメント１１６をさらに備える。この実施形態では、当該ショートガンアタッチメントは、ユニバーサルロッドとして理解されることができる。前記ユニバーサルロッド１１６は、本体部１０８及び／又は銃身アタッチメントに直接接続可能なユニバーサルロッドヘッド１１６１を備える。吐水部１０９’’は、ユニバーサルロッド１１６に配置され、かつユニバーサルロッドヘッド１１６１に対向して設けられる。このように設計することにより、ユニバーサルロッド１１６が吐出ヘッド１１０と本体部１０８及び／又は銃身アタッチメントとの間に中継部材を形成することで、吐水部１０９’’（回転防止ソケット）は、本体部１０８及び／又は銃身アタッチメントに配置されていない。換言すれば、ユニバーサルロッド１１６の配置により、本体部１０８及び／又は銃身アタッチメントは、吐出ヘッドケース１１２の回転防止プラグに適合するように構造を変更する必要がないため、本体部１０８及び／又は銃身アタッチメントが他の構造の吐出ヘッドにも適用できることが確保される。
【０２２６】
本開示の実施例の別の実施形態として、吐出ヘッドケース１１２は、基部１１２２と嵌合部１１２３との間に接続されるユニバーサル接続部１１２４をさらに備える。嵌合部１１２３とユニバーサル接続部１１２４とは着脱可能に接続され、もちろん、ユニバーサル接続部１１２４と基部１１２２とは着脱可能に接続されてもよい。この実施形態では、吐出ヘッド１１０は、嵌合部１１２３を介して吐水部１０９，１０９’，１０９’’に接続される第１の動作モードと、ユニバーサル接続部１１２４を介して本体部１０８及び／又は銃身アタッチメントに直接接続する第２の動作モードとを有する。このように設計することにより、吐出ヘッド１１０は、自体の汎用性を確保しつつ、水流のタイプを片手で切り替える動作モードをさらに提供することができる。作業者は、自分の必要に応じて、吐出ヘッド１１０を吐水部１０９，１０９’，１０９’’と回転防止するように設ける必要があるかどうかを自由に選択できる。作業者の自由選択性がより高い。
【０２２７】
図２０に示すように、高圧洗浄機１は、嵌合部１１２３と吐水部１０９，１０９’，１０９’’との接続部に設けられるロックユニット１１５をさらに備え、ロックユニット１１５は、回転軸の延在方向における吐出ヘッド１１０の移動を規制するロック位置と、吐水部からの吐出ヘッドの離脱を実現可能な解放位置とを有する。ロックユニット１１５の配置により、ノズルケース１１２と吐水部１０９，１０９’，１０９’’との軸方向のロックを実現し、吐出ヘッド１１０が吐水部１０９，１０９’，１０９’’に対して軸方向に移動するのを防止することができる。
【０２２８】
具体的には、ロックユニット１１５は、吐水部１０９，１０９’，１０９’’に接続される接続部材１１５１と、少なくとも一部が接続部材１１５１の周囲を覆うように取り付けられるロックリング１１５２と、複数のボール１１５３とを有する。接続部材１１５１と吐水部１０９，１０９’，１０９’’とは螺合により着脱可能に接続されている。接続部材１１５１には、上記ボール１１５３を収容する複数のボール孔（図示せず）が設けられている。各ボール１１５３は、ボール孔に対して可動である。好ましくは、複数のボール孔は、接続部材１１５１の周方向に均一に配置されている。ロックリング１１５２は、ハウジング１０に対して軸方向に移動可能である。具体的には、ロックリング１１５２は、ハウジング１０に対して軸方向にロック位置及び解放位置に移動可能である。当該ロック位置は、軸方向における吐出ヘッド１１０の移動を阻止でき、当該解放位置は、吐水部１０９，１０９’，１０９’’からの吐出ヘッド１１０の離脱を実現できる。ロックリング１１５２がロック位置に移動すると、ロックリング１１５２の内壁は、軸方向に垂直な方向に押圧力を各ボール１１５３に加え、各ボール１１５３が径方向に吐出ヘッドケース１１２のユニバーサル接続部１１２４を押さえるようにし、吐出ヘッドケース１１２が軸方向に移動するのを阻止する。ロックリング１１５２が解放位置に移動すると、ロックリング１１５２の内壁が各ボール１１５３に加えた押圧力がなくなり、ボール１１５３は自由状態にあり、このとき、ボール１１５３は、ユニバーサル接続部１１２１から離れる方向に移動し、接続部材１１５１と吐出ヘッドケース１１２とが非当接状態にあることが実現される。このとき、作業者は、軸方向に吐出ヘッドケース１１２の嵌合部１１２３を対応の吐水部１０９，１０９’，１０９’’から分離させることができる。好ましくは、ロックユニット１１５は、ロックリング１１５２と接続部材１１５１との間に設けられる弾性部材１１５４をさらに備え、当該弾性部材１１５４は、ロックリング１１５２が解放位置から自動的にロック位置に戻ることを実現できる。さらに、前記接続部材１１５１には、ロックリング１１５２の前端を後に押圧してロックリング１１５２の移動の距離を規制する規制突起１１５５がさらに設けられている。ロックユニット１１５は、複数のシールリングをさらに備える。当該シールリングは、接続部材１１５１と吐水部１０９，１０９’，１０９’’との接続部の前方に設けられる第１のシールリング１１５６と、接続部材１１５１と吐出ヘッドケース１１２との間に設けられる第２のシールリング１１５７とを有し、シールリングを設けることにより、漏水を避けることができる。もちろん、ここでは、ロックユニットのロック形態の１つを挙げたに過ぎないが、ロックユニット１１５は、他の構造に設計してもよく、吐出ヘッドケース１１２が軸方向に吐水部１０９，１０９’，１０９’’にロックできることと、吐出ヘッドケース１１２が軸方向に吐水部１０９，１０９’，１０９’’から離脱できることを実現できればよい。
【０２２９】
図２２〜図２３に示すように、本実施例は、高圧洗浄機１に接続可能に配置される給水管ユニット１４をさらに提供している。すなわち、給水管ユニット１４は、自己吸水可能な高圧洗浄機１に適用している。もちろん、給水管ユニット１４は、揚水機能を有する他の任意の揚水装置に適用してもよい。給水管ユニット１４は、高圧洗浄機１に接続して外部の水源を吸引し、水源はポンプ４を流れ、ポンプ４によって一定の圧力で排出される。給水管ユニット１４は、水管１４１と、水管１４１と連通して設けられる接続口部材１５３と、外部の水源に配置されるフィルタユニット１５と、高圧洗浄機１に接続される突き合わせユニット１６とを備える。
【０２３０】
水管１４１は、中心軸Ｚに沿って軸方向に延び、水流出口１４１１と、水流出口１４１１と連通して設けられる水流入口１４１２とを有する。水流出口は、高圧洗浄機１の給水口１０２に連通接続され、水流入口１４１２は、外部の水源に接続される。通常、水管１４１の断面は、円形である。本開示の実施例では、水管の長さは、６ｍである。
【０２３１】
ユーザが水管１４１を高圧洗浄機１に速やかに係合することを容易にするために、突き合わせユニット１６は、クイック係合継手を用いることが好ましい。
【０２３２】
接続口部材１５３は、水管１４１内に挿入される挿入部１５３１と、挿入部１５３１に接続される嵌合部１５３２とを有する。挿入部１５３１の外径は、水管１４１の内径と一致する円形に設定される。挿入部１５３１は、水管１４１の内側に挿入されて水管１４１に締め付けられる。嵌合部１５３２は、柱状であり、嵌合部１５３２の径方向の断面積は、挿入部１５３１の径方向の断面積よりも大きく、嵌合部１５３２の内側には、連続した雌ねじ（図示せず）が設けられている。本実施例では、接続口部材１５３の接続口は、ユニバーサル接続口１４２０である。
【０２３３】
図２２〜２３に示すように、フィルタユニット１５は、第１のフィルタ部材１５４と、第２のフィルタ部材１５２とを有する。本実施例では、第１のフィルタ部材１５４は、プレフィルタ部材として理解されることができ、第２のフィルタ部材１５２は、精細フィルタ部材として理解されることができる。換言すれば、第１のフィルタ部材１５４は主に、体積の大きい不純物を濾過するために用いられ、第２のフィルタ部材１５２は主に、細かい不純物を濾過するために用いられ、第１のフィルタ部材１５４及び第２のフィルタ部材１５２を設けることにより、高圧洗浄機１内に吸い込まれる水源が高い清浄度を有することがさらに確保される。
【０２３４】
第１のフィルタ部材１５４は、環状部１５４１と、環状部１５４１の下端に位置する接続部１５４２とを有する。接続部１５４２の軸方向の長さは、環状部１５４１よりも長い。環状部１５４１の外側には、環状溝と環状リブとが交互に形成された雄ねじが設けられている。本実施形態では、接続口部材１５３と第１のフィルタ部材１５４とはそれぞれ一体成形されてから組み立てられている。具体的には、接続口部材１５３及び第１のフィルタ部材１５４は、嵌合部１５３２の雌ねじ及び環状部１５４１の雄ねじを介して着脱可能に接続可能である。接続部１５４２は、軸方向に間隔をあけて設けられる複数の帯状のリブ１５４３と、隣接する２つのリブ１５４３の間に設けられる内外を透かし彫りにするスロット１５４４とを有する。外部の水源は、スロット１５４４を通り、第２のフィルタ部材１５２を通って水管１４１内に入ることができる。接続口部材１５３のユニバーサル接続口１４２０は、第１のフィルタ部材１５４及び水源管路接続口（図示せず）に選択的に接続される。接続口部材１５３が第１のフィルタ部材１５４に接続されるとき、スロット１５４４、ユニバーサル接続口１４２０及び水管１４１の水流入口１４１２はすべて互いに連通して設けられる。本実施形態では、接続口部材１５３は、第１のフィルタ部材１５４に接続され、第２のフィルタ部材１５２を収容する収容室（符号を付けていない）が形成されている。第２のフィルタ部材１５２は、接続口部材１５１に可動的に接続されている。具体的には、取り外しを容易にするために、第２のフィルタ部材１５２は、第１のフィルタ部材とは独立して設けられる。第２のフィルタ部材１５２は、フィルタメッシュ１５２１と、フィルタメッシュ１５２１を支持するための支持フレーム１５２３と、水管１４１と連通する開口１５２５とを有する。フィルタメッシュ１５２１には、複数のフィルタ孔（符号を付けていない）が設けられており、各フィルタ孔のサイズは、各スロット１５４４のサイズよりも小さい。
【０２３５】
本実施形態では、給水管ユニット１４は、第１のフィルタ部材１５４をユニバーサル接続口１４２０に接続して外部の水源を吸引する第１の動作モードと、水源管路接続口をユニバーサル接続口１４２０に接続して外部の水源を吸引する第２の動作モードと、接続口部材１５３をフィルタユニット１５及び水源管路接続口から離脱させて、接続口部材１５３が独立して外部の水源に接続される第３の動作モードとを有する。第１の動作モードにおいて給水管ユニット１４に接続される外部の水源の清浄度は、第２の動作モードにおいて給水管ユニット１４に接続される外部の水源の清浄度よりも低い。
【０２３６】
給水管ユニット１４に接続される外部の水源が大きさの異なる不純物を含む池（清浄度が低い）である場合、給水管ユニット１４を第１の動作モードにすることができる。このモードでは、第１のフィルタ部材１５４のスロット１５４４を介して外部の水源を一次濾過し、比較的大きな不純物を濾過する一方、収容室内に位置するフィルタメッシュ１５２１のメッシュ密度が比較的小さいため、外部の水源を精細に濾過し、細かい不純物が水管内に入るのをさらに阻止することができ、二重のフィルタ部材（第１の、第２のフィルタ部材）を設けることにより、水管１４１内に入る水源の清浄度がさらに確保される。
【０２３７】
給水管ユニット１４に接続される外部の水源が清浄度の高い水域からのもの（例えば水道水）である場合、給水管ユニット１４は、第１のフィルタ部材１５４及び収容室内に収容される第２のフィルタ部材１５２を備えなくてもよい。ユーザは、接続口部材１５３を水源管路接続口（図示せず）に直接接続することができ、当該水源管路接続口は、ガーデンホース又は蛇口（図示せず）であってもよい。このとき、給水管ユニット１４を第２の動作モードにすることができる。このモードでは、水源管路接続口がガーデンホースである場合、ガーデンホースの一端を水道水の蛇口に締め付け、ガーデンホースの他端を給水管ユニット１４の接続口部材１５３に接続することにより、水源は、直接ガーデンホースを介して給水管ユニット１４の水管１４１に入って高圧洗浄機１の給水通路に到達することができる。ガーデンホース自体が一定の長さを有し、給水管ユニット１４の水管１４１も一定の長さを有するため、両者を接続して使用することにより、高圧洗浄機１の洗浄範囲及び移動性を向上させることができる。水源管路接続口が蛇口である場合、接続口部材１５３内に弾性圧縮スリーブ（図示せず）を設けてもよく、この弾性圧縮スリーブを介して直接蛇口の端部に速やかに係合することにより、水源は、直接蛇口を介して水管に流入して高圧洗浄機１内に入ることができる。
【０２３８】
また、外部の水源は、水タンク又は筒体のような容器装置によって提供されてもよい。この場合、接続口部材１５３は、フィルタユニット１５及び水源管路接続口から離脱し、独立して外部の水源に接続することができる。このとき、給水管ユニット１４を第３の動作モードにすることができる。換言すれば、接続口部材１５３は独立して水タンク又は筒体内に配置されて吸水を行う。本開示の実施例に係る給水管ユニット１４は、異なる水域環境に適用できるため、利便性及び操作性が顕著である。
【０２３９】
給水管ユニット１４は、水管１４１の外周に着脱可能に外嵌され、第１の係止部１７３と、第１の係止部１７３から外部に突出する第２の係止部１７４とを有するフック部材１７２をさらに備える。第１の係止部１７３は、互いに対向する２つの係止アーム１７３１と、係止アームの先端に設けられて２つの係止アーム１７３を接続するための接続アーム１７３２とを有する。２つの係止アーム１７３１の自由端には、フック部材１７２が容器装置から離脱しないように屈曲部がそれぞれ設けられている。さらに、一対の係止アーム１７３１及び接続アーム１７３２は、半閉鎖形状の係止空間１７５を形成する。係止空間１７５は、接続アーム１７３２に近接する拡大領域１７５１と、係止アーム１７３１の下部に位置して内方へ屈曲する縮小領域１７５２とを有する。２つの係止アーム１７３の対向する内側であって拡大領域１７５１から縮小領域１７５２への移行領域には、突起１７６が設けられている。提供される外部の水源が水タンク又は筒体のような容器装置に収容される場合、第１の係止部１７３を水タンク又は筒体又は他の容器装置に容易に挟持して水管１４１を位置決めし、外部の僅かな引っ張りにより水管１４１が水面から離脱して給水管ユニット１４が正常に吸水できないことを防止することができる。
【０２４０】
第２の係止部１７４は、一方の係止アーム１７３の外面から外部に突出する一対の案内アーム１７４１を有する。案内アーム１７４１の延在方向は、係止アーム１７３１の延在方向に垂直である。同様に、第２の係止部１７４も、半閉鎖状態にあり、第２の係止部１７４を水管１４１に容易に着脱可能に接続することができる。フック部材１７２は好ましくは、薄色のプラスチック材料で製造される。フック部材１７２は、ユーザの必要に応じて、水管１４１の任意の位置に配置することができる。
【０２４１】
フィルタユニット１５は通常の使用中に水源に浸す必要があるが、フィルタユニット１５を構成する第１のフィルタ部材１５４及び第２のフィルタ部材１５２は好ましくは、プラスチック又はゴム材料で製造され、とても軽量なので、フィルタユニット１５は水面に浮かびやすく、水源に沈んで吸水できず、使用に影響を及ぼすことが考えられる。よって、本実施例に係る給水管ユニット１４は、フィルタユニット１５の重力がその浮力よりも大きくてフィルタユニット１５が水源に沈むようにバランスウェイト部材１８を備えている。本実施形態では、バランスウェイト部材１８は、錆びにくい材料、例えばステンレスで形成されている。本実施形態では、バランスウェイト部材１８は、接続口部材１５３と水管１４１との接続部の領域に設けられている。当該バランスウェイト部材１８は、水管１４１の外周に設けられるフープ部１８１と、フープ部１８１を締め付けるための締結部１８２とを有する。水圧が大きいと、水流は、水管１４１を膨張させやすいため、水管１４１と接続口部材１５３の挿入部１５３１とが緩み、水源漏れという好ましくない現象が発生する。一方、バランスウェイト部材１８のフープ部１８１は、水管１４１及び挿入部１５３１に一定の締結力を与えることができるため、水圧が大きい場合でも、水管１４１と挿入部１５３１とが緩むことはない。もちろん、他の実施形態では、図１４に示すように、バランスウェイト部材１８’は、第１のフィルタ部材１５４と接続口部材１５３とによって形成された収容室内に位置してもよい。バランスウェイト部材１８、１８’は、接続物による固定やサスペンションなどにより対応する部材に接続してもよい。バランスウェイト部材１８、１８’の具体的な構造や配置形態は様々なので、ここでは一々説明しない。
【０２４２】
本開示の実施例の別の実施形態として、給水管ユニット１４は、バランスウェイト部材を備えることなく、フィルタユニット１５が水源に沈むことを確保できる。具体的には、第１のフィルタ部材１５４、第２のフィルタ部材１５２及び接続口部材１５３のうちの１つ以上は、金属又は合金材料で製造され、これら部材自体は十分な重力を有するため、それらを水源に沈めた後、水面に浮かぶことはない。
【０２４３】
多くの場合、水源の清浄度が高くなく、特に戸外で使用する場合、ユーザは通常、近くの池を選択して水源を提供する。このような水域では、大量の泥や不純物が水源の底部に堆積している。給水管ユニット１４を水源に入れると、フィルタユニット１５は、水源の底部に沈みやすい。こうすると、第１のフィルタ部材１５４、第２のフィルタ部材１５２及び接続口部材１５３のユニバーサル接続口１４２０の目詰まりが発生しがちため、高圧洗浄機１の通常の使用に影響を与え、そして、ユーザは常に、第１のフィルタ部材１５４、第２のフィルタ部材１５２及び接続口部材１５３を洗浄する必要がある。
【０２４４】
上記の問題に鑑みて、給水管ユニット１４は、水管１４１の水流入口１４１２と水流出口１４１１との間に接続される浮上部材１７１をさらに備える。好ましくは、浮上部材１７１は、プラスチック発泡材で製造され、かつ、当該浮上部材１７１の体積は十分な浮力を確保するように十分大きく設定され、すなわち、浮上部材１７１によって生じる浮力がバランスウェイト部材１８、１８’、接続口部材１５３及びフィルタユニット１５の総重力以上であることにより、水管ユニット１４が外部の水源に入れられたとき、フィルタユニット１５は外部の水源に深く入り込むが、水底に沈むことがない。
【０２４５】
浮上部材１７１は、任意の形状に設定することができ、かつ水管１４１の任意の位置に選択的に取り付けられる。好ましくは、浮上部材１７１は、球体状であり、浮上部材１７１は、給水管ユニット１４の水管１４１に穿設され、ユーザは必要に応じて、水管１４１に浮上部材１７１を任意に滑らせて適切な浮上高さを選択することができる。さらに、発明者は、浮上部材１７１が水管１４１に接続される位置は、フィルタユニット１５が水底に沈むことなく、水源に入り込むことができるかどうかに影響を与えることをさらに発見した。そして、通常、高圧洗浄機１は、異なる領域を洗浄する必要があるため、給水管ユニット１４を外部の水源に入れる位置を変える必要があり、給水管ユニット１４を動かす過程で、フィルタユニット１５は、水面に浮上しやすいため、給水管ユニット１４の移動中に、高圧洗浄機１は正常に水源を吸い込むことができない。発明者は鋭意研究を重ねた結果、給水管ユニット１４の移動中に、フィルタユニット１５が水面に浮上するかどうかは、水管１４１における浮上部材１７１の位置とも関係があることをさらに発見した。
【０２４６】
よって、本実施形態では、図２３に示すように、浮上部材１７１は、水流出口１４１１に近接する頂部を有し、水管１４１の中心軸と水流入口１４１２の位置する平面とは、交差点ａを有し、当該交差点ａと浮上部材１７１の頂部との間の直線距離Ｈは、２５ｃｍ以上である。このとき、給水管ユニット１４の移動中に、フィルタユニット１５が水面に浮上しないことを確保できるだけでなく、給水管ユニット１４の通常の使用中に、フィルタユニット１５が水底に入り込むことなく、水源の中央深さに位置することも確保できる。好ましくは、浮上部材１７１の頂部と当該交差点ａとの間の直線距離Ｈは、３５ｃｍに等しい。この距離は、給水管ユニット１４が異なる水源に入れられるとき、フィルタユニット１５が水底に入り込むことがなく、給水管ユニット１４の移動中に、フィルタユニット１５が水面に暴露することがないことを確保できる。このように設計することにより、給水管ユニット１４が異なる外部の水源に接続されるたびに、ユーザは、浮上部材１７１の位置を調整する必要がない。もちろん、当該距離Ｈは、２６ｃｍ、２８ｃｍ、３０ｃｍ、３ｃｍ、３４ｃｍ、３６ｃｍ、３８ｃｍ、４０ｃｍ、５０ｃｍ、６０ｃｍ、７０ｃｍ、８０ｃｍ、９０ｃｍ、１００ｃｍであってもよい。浮上部材１７１は、外周に塗布された着色層（図示せず）をさらに有する。好ましくは、ユーザが水源における水管１４１の具体的位置を観察しやすいために、着色層の色は水管１４１及び水源の色と異なる。
【０２４７】
図２４に示すように、本実施例は、自己吸水可能で電池パック９に電気的に接続可能な手持ち式高圧洗浄機１である揚水装置を提供している。もちろん、当該揚水装置は、高圧洗浄機１と、高圧洗浄機１と嵌合する電池パック９とを備えるとともに自己吸水可能な手持ち式高圧洗浄機ユニットであってもよい。他の実施形態では、当該揚水装置は、高圧洗浄機１に限定されず、揚水機能を有する任意の装置であってもよい。
【０２４８】
図２４〜２６に示すように、高圧洗浄機１は、ハウジング１０の底部に設けられて電池パック９に電気的に接続されるツール端子台１９を備える。ツール端子台１９は、突き合わせ面１９１１が設けられた基台１９１と、基台内に固定された複数のハウジング端子１９２とを有する。もちろん、ハウジング１０は突き合わせ面１９１１が設けられた基台１９１を有するとは、基台１９１とハウジング１０とが着脱可能に接続されるか、又は基台１９１とハウジング１０とが一体成形され、すなわち、基台１９１はハウジング１０の一部であり、基台１９１の突き合わせ面１９１１は、ハウジング１０外面の一部であると理解されるべきである。換言すれば、基台１９１及びハウジング端子１９２は、ハウジングの内部キャビティに収容され、突き合わせ面１９１１は、ハウジング１０の外面に形成されている。
【０２４９】
図２７〜２８に示すように、ハウジング１０は、電池取付台１０７を備え、電池取付台１０７は、対向する一対の側部１０７１を有し、側部１０７１と基台１９１とは、電池パック収容室１０７０を区画し、当該電池パック収容室１０７０は少なくとも、基壁１０７２と、基壁１０７２に垂直な方向に延びる２つの側壁１０７３とを含む３つの壁部を有する。側部１０７１には、前記側壁１０７３に垂直な底壁１０７４が設けられている。基台１９１は、突き合わせ面１９１１に垂直な方向に延びる頂壁１９１４を有する。
【０２５０】
図２４、図２６に示すように、電池パック９は、底部９１と、底部９１に接続されるカバー９２と、底部９１及びカバー９２内に収容される電池端子台（図示せず）と、突き合わせ面１９１１と嵌合可能な嵌合面９２１とを有する。本実施形態では、電池端子台は、底部９１とカバー９２とを組み立てて形成された収容空間内に収容されるように配置可能である。電池端子台は、ハウジング端子１９２に電気的に接続される複数の電池パック端子（図示せず）を有する。嵌合面９２１は、カバー９２に形成されている。カバー９２は、頂面９２４を有し、頂面９２４からボス９２５が突設されている。当該ボス９２５は、嵌合面９２１に垂直な上面９２２と、上面９２２と頂面９２４とを接続する側面９２６とを有する。
【０２５１】
高圧洗浄機１と電池パック９とが嵌合してハウジング端子１９２と電池パック端子とを電気的に接続するための突き合わせ室を形成する。当該突き合わせ室は、高圧洗浄機１又は電池パック９に選択的に配置される。高圧洗浄機１及び電池パック９の少なくとも一方には、シーリング構造が設けられており、電池パック９が高圧洗浄機１と嵌合したとき、当該シーリング構造は、水が突き合わせ室の開口から電池パック９又は高圧洗浄機１の内部に流入して高圧洗浄機１の通常動作に影響を与えることを防止するように、上記突き合わせ室をシーリング可能である。
【０２５２】
本開示の実施例の一実施形態として、ハウジング端子１９２は、少なくとも一部が突き合わせ面１９１１から外側に突出している。電池パック９は、電池パック端子を収容するとともに、ハウジング端子１９２を挿入して電池パック端子に電気的に接続するための挿入空間９０を有し、当該挿入空間９０は、ハウジング端子１９２と電池パック端子とを電気的に接続するための上記突き合わせ室を形成する。挿入空間９０は、電池パックの上面９２２、嵌合面９２１、側面９２６のうちの１つの面又は複数の面が電池パックの内部キャビティに凹んで形成される。シーリング構造は、前記挿入空間が形成された１つの面又は複数の面に密着するように設計することができ、電池パックが高圧洗浄機と嵌合したとき、挿入空間９０は、シーリング構造によって囲まれた領域内に位置し、シーリング構造は、挿入空間を外部からシーリングして隔離可能である。又は、シーリング構造は、前記基台の１つの面又は複数の面に密着し、電池パックが高圧洗浄機と嵌合したとき、挿入空間９０は、シーリング構造によって囲まれた領域内に位置し、シーリング構造は、前記挿入空間を外部からシーリングして隔離可能である。例えば、一実施可能な形態では、図２４〜２６に示すように、ハウジング端子１９２は、外側に突出するタブ型端子であり、上記突き合わせ室は、電池パック９の嵌合面９２１から内方へ凹んで形成される挿入空間９０であり、ハウジング端子１９２を電池パック９の挿入空間９０内に挿入して電池パック９の電池パック端子に電気的に接続する。さらに、電池パック９が高圧洗浄機１と嵌合したとき、通常、嵌合代が存在し、すなわち、電池パック９と高圧洗浄機１との接触面は完全に密着することがない。そして、タブ型のハウジング端子１９２と挿入空間の開口とはしまりばめになることがなく、すなわち、通常、タブ型のハウジング端子１９２と挿入空間９０の開口との間には、隙間がある。シーリング構造を設けることにより、外部の水蒸気が高圧洗浄機１と電池パック９との間の嵌合隙間を介して電池パック９内に流入し、電池パック９内の回路の短絡を起こして、漏電や感電などの安全上の問題を引き起こすことを防止することができる。好ましくは、シーリング構造は、基台１９１の突き合わせ面１９１１に接続され、シーリング構造は、突き合わせ面１９１１の少なくとも一部に密着する。
【０２５３】
本開示の実施例の一実施形態として、電池パック端子は、少なくとも一部が嵌合面９２１から外側に突出するように配置され、ハウジング１０は、ハウジング端子を収容するとともに、電池パック端子を挿入してハウジング端子１９２に電気的に接続するための突き合わせ空間（図示せず）を有し、当該突き合わせ空間は、ハウジング端子１９２と電池パック端子とを電気的に接続するための上記突き合わせ室を形成する。突き合わせ空間は、基台の１つの面又は複数の面が内方へ凹んで形成される。シーリング構造は、突き合わせ空間を形成する１つの面又は複数の面に密着し、電池パックが高圧洗浄機と嵌合したとき、突き合わせ空間は、シーリング構造によって囲まれた領域内に位置し、シーリング構造は、突き合わせ空間を外部からシーリングして隔離可能である。又は、シーリング構造は、電池パックの１つの面又は複数の面に密着し、電池パックが高圧洗浄機と嵌合したとき、突き合わせ空間は、シーリング構造によって囲まれた領域内に位置し、シーリング構造は、前記突き合わせ空間を外部からシーリングして隔離可能である。例えば、一実施可能な形態では、電池パック端子は、少なくとも一部が嵌合面から外側に突出するタブ型端子（図示せず）である。突き合わせ室の一形態としては、突き合わせ室は、ハウジング１０の突き合わせ面１９１１から内方へ凹んで形成される突き合わせ空間であり、電池パック端子をハウジング１０の突き合わせ空間内に挿入してハウジング端子１９２に電気的に接続する。さらに、電池パック９が高圧洗浄機１と嵌合したとき、通常、嵌合代が存在し、すなわち、電池パック９と高圧洗浄機１との接触面は完全に密着することがない。タブ型の電池パック端子と突き合わせ空間の開口とはしまりばめになることがなく、すなわち、通常、タブ型の電池パック端子と突き合わせ空間の開口との間には、隙間がある。好ましくは、シーリング構造は、ハウジングの突き合わせ面に接続され、シーリング構造は、突き合わせ面１９１１の少なくとも一部に密着する。
【０２５４】
具体的には、図２７に示すように、シーリング構造は、基壁１０７２に接続される第１のガスケット１９３１と、頂壁１９１４に接続される第２のガスケット１９３２及び第３のガスケット１９３３とを有し、第１のガスケット、第２のガスケット１９３２及び第３のガスケット１９３３は首尾で接続されている。第３のガスケット１９３３は、少なくとも一部が側壁１０７３に位置し、高圧洗浄機１が電池パック９と嵌合したとき、突き合わせ室は、第１のガスケット１９３１、第２のガスケット１９３２及び第３のガスケット１９３３によって囲まれた領域内に位置する。なお、第１のガスケット１９３１、第２のガスケット１９３２及び第３のガスケット１９３３は、一体式の帯状構造であってもよいし、ブロック状構造であってもよく、換言すれば、３つのガスケットは、一体形成されるウエザストリップであってもよいし、一体形成されるブロック状であってもよい。第１、第２、第３は、３つの部分としてのみ理解される。もちろん、段階式であってもよい。第２のガスケット１９３２は、一部が側部１０７１の底壁１０７４に接続され、他部が側部１０７１の側壁１０７３に接続されるように設計してもよい。また、第２のガスケット１９３２は、全体が側部１０７１の側壁１０７３に接続されるように設計してもよい。
【０２５５】
本開示の実施例の一実施形態として、図２８に示すように、シーリング構造は、底壁１０７４に接続される第４のガスケット１９３４と、側壁１０７３に接続される第５のガスケット１９３５と、基壁１０７２に接続される第６のガスケット１９３６とを有し、第４のガスケット１９３４、第５のガスケット１９３５及び第６のガスケット１９３６は首尾で接続されている。高圧洗浄機１が電池パック９と嵌合したとき、突き合わせ室は、第４のガスケット１９３４、第５のガスケット１９３５及び第６のガスケット１９３６によって囲まれた領域内に位置する。同様に、第４のガスケット１９３４、第５のガスケット１９３５及び第６のガスケット１９３６は一体式であってもよく、換言すれば、３つのガスケットは、一体形成されるウエザストリップであってもよいし、一体形成されるブロック状であってもよい。第４、第５、第６は、３つの部分としてのみ理解される。もちろん、段階式であってもよい。
【０２５６】
本開示の実施例の一実施形態として、シーリング構造は、電池パックの嵌合面に接続され、シーリング構造は、嵌合面９２１の少なくとも一部に密着し、電池パック９が高圧洗浄機１と嵌合したとき、シーリング構造は、前記突き合わせ室をシーリング可能である。
【０２５７】
本開示の実施例の一実施形態として、図２９に示すように、シーリング構造は、電池パック９の上面９２２に接続される上部シーリング構造１９３７と、電池パック９の側面９２６に接続される側部シーリング構造１９３８と、電池パック９の頂面９２４に接続されかつボス９２５の前端に位置する前部シーリング構造１９３９とを有し、上部シーリング構造１９３７、側部シーリング構造１９３８及び前部シーリング構造１９３９は首尾で接続されている。前記高圧洗浄機が前記電池パックと嵌合したとき、突き合わせ室は、シーリング構造によって囲まれた領域内に位置する。
【０２５８】
図２５に示すように、一実施形態では、シーリング構造は、ブロック状ガスケット１９３であり、防水材料で製造される弾性変形可能なクッション、片面テープのうちの１つ又は複数の組み合せであってもよい。ガスケット１９３は、高圧洗浄機１に接続されてもよいし、電池パック９に接続されてもよい。好ましくは、ガスケット１９３は常に、高圧洗浄機１に接続されている。具体的には、ガスケット１９３は常に、ハウジング１０の突き合わせ面１９１１に接続されている。ガスケット１９３は、接着剤又は締結部材又は他の適切な手段によって突き合わせ面１９１１に接続することができる。このように設計することにより、電池パック９の構成を変更することなく、電池パック９を他の様々な電動工具に適用することができ、そして、電池パック９が高圧洗浄機１と嵌合したとき、ガスケット１９３は、水が電池パック９とハウジング１０の基台１９１との間の隙間を介して電池パック９とハウジング１０との係合部に流れるのを避けることができる。さらに、電池パック９の挿入方向に垂直な方向におけるガスケット１９３の断面積は、電池パック９の挿入方向に垂直な方向における突き合わせ面１９１１の断面積以上となるように設計してもよい。ガスケット１９３には、ハウジング端子１９２又は電池パック端子が対応的に挿入されるように、貫通した複数の開口（符号をつけていない）が設けられている。電池パック９の挿入方向に垂直な方向における開口の断面積は、当該方向におけるハウジング端子１９２又は電池パック端子の断面積に適合する。具体的には、電池パックの挿入方向に垂直な方向における開口の断面積は、電池パックの挿入方向に垂直な方向におけるハウジング端子又は電池パック端子の断面積以下となるように設計してもよい。
【０２５９】
図２５に示すように、カバー９２は、嵌合面９２１に垂直でかつハウジング１０に対向する上面９２２をさらに有する。好ましくは、カバー９２の上面９２２には、放熱口９２３が設けられている。
【０２６０】
図２５に示すように、高圧洗浄機１は、ハウジング１０に設けられて放熱口９２３をシーリングするための放熱口ガスケット１９４をさらに備える。ガスケット１９３と放熱口ガスケット１９４とがいずれもハウジング１０に接続されている場合、放熱口ガスケット１９４の向く方向は、ガスケット１９３の向く方向に垂直である。放熱口ガスケット１９４は、放熱口９２３の直上に位置し、かつハウジング１０の底部に設けられた収容溝１９５内に収容されている。さらに、放熱口ガスケット１９４の外面は、少なくとも一部がハウジング１０の底部の表面１０１を超え、このように設計することにより、ハウジング１０への電池パック９の係合中に、底面１０１を少し超える放熱口ガスケット１９４が押圧されて弾性変形するため、放熱ガスケット１９４が放熱口９２３を完全にシーリングすることが確保される一方、電池パック９とハウジング１０とのスムーズな係合が確保される。また、放熱口９２３を完全に塞いで防水効果をさらに確保するために、放熱口ガスケット１９４の寸法は、放熱口９２３の寸法以上である。もちろん、他の実施形態では、放熱口ガスケット１９４は、電池パック９に直接設けてもよい。
【０２６１】
放熱口ガスケット１９４としては、片面テープ、又は軟質プラスチック防水材料で製造されたクッションを採用してもよい。放熱口ガスケット１９４は、一体のブロック状構造であり、接着剤又は締結部材又は他の適切な手段によって収容溝１９５内に接続することができる。放熱口９２３は、電池パック９内に選択的に配置され、電池パック９の上面９２２が放熱口９２３構造を有する場合、増設される放熱口ガスケット１９４は、放熱口９２３を塞ぎ、電池パック９のシーリング防水効果を実現できる。本実施形態における高圧洗浄機は、小さな電流で動作するため、電池パック９の放熱口９２３が塞がれても、高圧洗浄機１の通常の使用に影響を与えない。このように、本実施例に係る発明によれば、放熱口９２３構造が設けられた大電流の電池パックもハウジング１０に接続可能であり、電池パック９の汎用化が実現される。
【図１】
2020513307.tif 000003
【図２】
2020513307.tif 000004
【図３】
2020513307.tif 000005
【図４（ａ）】
2020513307.tif 000006
【図４（ｂ）】
2020513307.tif 000007
【図４（ｃ）】
2020513307.tif 000008
【図５（ａ）】
2020513307.tif 000009
【図５（ｂ）】
2020513307.tif 000010
【図６（ａ）】
2020513307.tif 000011
【図６（ｂ）】
2020513307.tif 000012
【図６（ｃ）】
2020513307.tif 000013
【図７】
2020513307.tif 000014
【図８】
2020513307.tif 000015
【図９】
2020513307.tif 000016
【図１０】
2020513307.tif 000017
【図１１】
2020513307.tif 000018
【図１２】
2020513307.tif 000019
【図１３】
2020513307.tif 000020
【図１４】
2020513307.tif 000021
【図１５】
2020513307.tif 000022
【図１６】
2020513307.tif 000023
【図１７】
2020513307.tif 000024
【図１８】
2020513307.tif 000025
【図１９】
2020513307.tif 000026
【図２０】
2020513307.tif 000027
【図２１】
2020513307.tif 000028
【図２２】
2020513307.tif 000029
【図２３】
2020513307.tif 000030
【図２４】
2020513307.tif 000031
【図２５】
2020513307.tif 000032
【図２６】
2020513307.tif 000033
【図２７】
2020513307.tif 000034
【図２８】
2020513307.tif 000035
【図２９】
2020513307.tif 000036
【手続補正書】
【提出日】令和1年6月5日(2019.6.5)
【手続補正１】
【補正対象書類名】特許請求の範囲
【補正対象項目名】全文
【補正方法】変更
【補正の内容】
【特許請求の範囲】
【請求項１】
手持ち式高圧洗浄機と、手持ち式高圧洗浄機に嵌合可能な電池パックとを備える手持ち式高圧洗浄機ユニットであって、
把持用のハンドルと、前記ハンドルと角度をなすように設けられる本体部と、ハウジングの底部に設けられて前記電池パックに電気的に接続されるツール端子台であって、突き合わせ面が設けられた基台と、前記基台内に固定された複数のハウジング端子とを備えるツール端子台を有するハウジングと、
給水口が水管を介して外部の水源に接続される前記本体部内に設けられるモータと、水流を外部に搬送するポンプとを有する機能部材とを備える手持ち式高圧洗浄機ユニットにおいて、
前記電池パックは、
前記突き合わせ面と嵌合可能な嵌合面と、
前記ハウジング端子に電気的に接続される複数の電池パック端子とを有し、
前記手持ち式高圧洗浄機と前記電池パックとが嵌合して前記ハウジング端子と前記電池パック端子とを電気的に接続するための突き合わせ室を形成し、前記突き合わせ室は、前記手持ち式高圧洗浄機又は前記電池パックに選択的に配置され、
前記手持ち式高圧洗浄機及び前記電池パックの少なくとも一方には、シーリング構造が設けられており、前記シーリング構造は、水が前記突き合わせ室の開口から前記電池パック又は前記手持ち式高圧洗浄機の内部に流入することを防止することができることを特徴とする手持ち式高圧洗浄機ユニット。
【請求項２】
前記ハウジング端子は、少なくとも一部が前記突き合わせ面から外側に突出しており、前記電池パックは、前記電池パック端子を収容するとともに、前記ハウジング端子を挿入して前記電池パック端子に電気的に接続するための挿入空間を有し、前記挿入空間は、前記ハウジング端子と前記電池パック端子とを電気的に接続するための前記突き合わせ室を形成することを特徴とする請求項１に記載の手持ち式高圧洗浄機ユニット。
【請求項３】
前記電池パックは、底部と、前記底部に接続されるカバーとを有し、前記カバーは、頂面を有し、頂面からボスが突設されており、前記ボスは、前記嵌合面に垂直な上面と、前記上面と前記頂面とを接続する一対の側面とを有し、前記挿入空間は、前記上面、前記嵌合面、前記側面のうちの１つの面又は複数の面が電池パックの内部キャビティへ凹んで形成されることを特徴とする請求項２に記載の手持ち式高圧洗浄機ユニット。
【請求項４】
前記シーリング構造は、前記挿入空間を形成する１つの面又は複数の面に密着し、前記ハウジング端子は、外側に突出するタブ型端子であり、前記電池パックと前記手持ち式高圧洗浄機とが嵌合したとき、前記タブ型のハウジング端子と前記挿入空間の開口との間には、隙間があり、前記シーリング構造は、前記挿入空間の開口を外部からシーリングして隔離可能であることを特徴とする請求項３に記載の手持ち式高圧洗浄機ユニット。
【請求項５】
前記シーリング構造は、前記基台の１つの面又は複数の面に密着し、前記ハウジング端子は、外側に突出するタブ型端子であり、前記電池パックと前記手持ち式高圧洗浄機とが嵌合したとき、前記タブ型のハウジング端子と前記挿入空間の開口との間には、隙間があり、前記シーリング構造は、外部の水蒸気が前記手持ち式高圧洗浄機と前記電池パックとの間の嵌合隙間を介して前記電池パック内に流入することを防止することができることを特徴とする請求項２に記載の手持ち式高圧洗浄機ユニット。
【請求項６】
前記シーリング構造は、前記突き合わせ面に接続され、前記シーリング構造は、前記突き合わせ面の少なくとも一部に密着することを特徴とする請求項５に記載の手持ち式高圧洗浄機ユニット。
【請求項７】
前記シーリング構造は、軟質ガスケットであり、前記ハウジング端子又は前記電池パック端子が対応的に挿入されるための貫通した複数の開口を有することを特徴とする請求項２に記載の手持ち式高圧洗浄機ユニット。
【請求項８】
前記電池パックは、底部と、前記底部に接続されるカバーとを有し、前記カバーには、放熱口が設けられていることを特徴とする請求項１に記載の手持ち式高圧洗浄機ユニット。
【請求項９】
前記手持ち式高圧洗浄機は、前記ハウジングに設けられて前記放熱口をシーリングするための放熱口ガスケットをさらに備え、前記放熱口ガスケットは、前記放熱口の上方に位置することを特徴とする請求項８に記載の手持ち式高圧洗浄機ユニット。
【請求項１０】
前記ハウジングは、前記放熱口ガスケットを収容する収容溝を有し、前記放熱口ガスケットは、前記放熱口に向かう外面を有し、前記放熱口ガスケットが前記収容溝に接続されたとき、前記外面は、少なくとも一部がハウジングの基壁を超えていることを特徴とする請求項９に記載の手持ち式高圧洗浄機ユニット。
【請求項１１】
手持ち式高圧洗浄機と、前記手持ち式高圧洗浄機に電気的に接続される電池パックとを備える手持ち式高圧洗浄機ユニットであって、
把持用のハンドルと、前記ハンドルと角度をなすように設けられる本体部と、ハウジングの底部に設けられて前記電池パックに電気的に接続されるツール端子台であって、突き合わせ面が設けられた基台と、前記基台内に固定された複数のハウジング端子とを有するツール端子台を有するハウジングと、
給水口が水管を介して外部の水源に接続される前記本体部内に設けられるモータと、水流を外部に搬送するポンプとを有する機能部材とを備える手持ち式高圧洗浄機ユニットにおいて、
前記電池パックは、
底部と、
前記底部に接続されるカバーと、
前記底部及び前記カバー内に収容される電池端子台とを有し、
前記電池端子台は、前記ハウジング端子に電気的に接続される複数の電池パック端子を有し、
前記電池パックはさらに、
前記突き合わせ面と嵌合可能な嵌合面と、電池パック端子を収容するとともに、前記ハウジング端子を挿入して前記電池パック端子に電気的に接続するための挿入空間を有し、
前記挿入空間は、電池パックの１つの面又は複数の面が前記電池パックの内部キャビティに凹んで形成され、
前記電池パック及び前記手持ち式高圧洗浄機の少なくとも一方には、シーリング構造が設けられており、前記シーリング構造は、前記挿入空間を形成する１つの面又は複数の面に密着し、前記電池パックと前記手持ち式高圧洗浄機とが嵌合したとき、前記シーリング構造は、水が前記挿入空間の開口を介して前記電池パック内又は前記手持ち式高圧洗浄機の内部に流入することを防止することができることを特徴とする手持ち式高圧洗浄機ユニット。
【請求項１２】
手持ち式高圧洗浄機と、前記手持ち式高圧洗浄機に電気的に接続される電池パックとを備える手持ち式高圧洗浄機ユニットであって、
把持用のハンドルと、前記ハンドルと角度をなすように設けられる本体部と、ハウジングの底部に設けられて前記電池パックに電気的に接続されるツール端子台であって、突き合わせ面が設けられた基台と、前記基台内に固定された複数のハウジング端子とを有するツール端子台を有するハウジングと、
給水口が水管を介して外部の水源に接続される前記本体部内に設けられるモータと、水流を外部に搬送するポンプとを有する機能部材とを備える手持ち式高圧洗浄機ユニットにおいて、
前記電池パックは、
底部と、
前記底部に接続されるカバーと、
前記底部及び前記カバー内に収容される電池端子台とを有し、
前記電池端子台は、前記ハウジング端子に電気的に接続される複数の電池パック端子を有し、
前記電池パックはさらに、
前記突き合わせ面と嵌合可能な嵌合面と、電池パック端子を収容するとともに、前記ハウジング端子を挿入して前記電池パック端子に電気的に接続するための挿入空間を有し、
前記挿入空間は、電池パックの１つの面又は複数の面が前記電池パックの内部キャビティに凹んで形成され、
前記電池パック及び前記手持ち式高圧洗浄機の少なくとも一方には、シーリング構造が設けられており、前記シーリング構造は、前記基台の１つの面又は複数の面に密着し、前記ハウジング端子は、外側に突出するタブ型端子であり、前記電池パックと前記手持ち式高圧洗浄機とが嵌合したとき、前記タブ型のハウジング端子と前記挿入空間の開口との間には、隙間があり、前記シーリング構造は、外部の水蒸気が前記手持ち式高圧洗浄機と前記電池パックとの間の嵌合隙間を介して前記電池パック内に流入することを防止することができることを特徴とする手持ち式高圧洗浄機ユニット。
【手続補正３】
【補正対象書類名】明細書
【補正対象項目名】０２０２
【補正方法】変更
【補正の内容】
【０２０２】
一実施形態では、３プランジャポンプの手持ち式高圧洗浄機の外部に出力する作動水圧は、３．３ＭＰａであり、外部に出力する作動水流量は、４Ｌ／Ｍｉｎである。もちろん、手持ち式高圧洗浄機の外部に出力する作動水圧は、３ＭＰａ、３．２ＭＰａ、３．４ＭＰａ、３．６ＭＰａ、３．８ＭＰａ、４ＭＰａ、４．２ＭＰａ、４．４ＭＰａ、４．６ＭＰａ、４．８ＭＰａ、５ＭＰａ、５．５ＭＰａ、５．８ＭＰａ、６ＭＰａ、６．２ＭＰａ、６．４ＭＰａ、６．６ＭＰａ、６．８ＭＰａ、７ＭＰａ、７．５ＭＰａ、７．８ＭＰａ、８ＭＰａ、７ＭＰａ、８．５ＭＰａ、９ＭＰａ、９．５ＭＰａなどであってもよく、手持ち式高圧洗浄機の外部に出力する作動水流量は、３．３Ｌ／Ｍｉｎ、３．４Ｌ／Ｍｉｎ、３．６Ｌ／Ｍｉｎ、３．８Ｌ／Ｍｉｎ、３．９Ｌ／Ｍｉｎ、４．１Ｌ／Ｍｉｎ、４．２Ｌ／Ｍｉｎ、４．４Ｌ／Ｍｉｎ、４．５Ｌ／Ｍｉｎ、４．６Ｌ／Ｍｉｎ、４．８Ｌ／Ｍｉｎ、４．９Ｌ／Ｍｉｎ、５Ｌ／Ｍｉｎ、５．５Ｌ／Ｍｉｎ、６Ｌ／Ｍｉｎ、６．５Ｌ／Ｍｉｎ、６．８Ｌ／Ｍｉｎ、７Ｌ／Ｍｉｎ、７．５Ｌ／Ｍｉｎ、７．８Ｌ／Ｍｉｎなどであってもよい。
【国際調査報告】
2020513307.tif 000037
2020513307.tif 000038
2020513307.tif 000039
2020513307.tif 000040